(57)【要約】【課題】  簡単且つ確実に封緘可能であり、しかも、改竄された場合にその事実を隠蔽されることなく確実に知ることができる改竄防止包装ケースを提供することを目的とする。【解決手段】  前後一対の側板２ａ，２ｂおよび左右一対の側板３ａ，３ｂを有して上方に開口６を形成する有底四角筒状のケース本体１を備え、前側板２ａの内面側に差し込まれる蓋垂下片４を備える蓋体５が、開口６を開閉すべく折り曲げられて後側板２ｂに連設されてなる包装ケースにおいて、前側板２ａに近接して沿わせるようにケース本体１内で支持された被支持板７をさらに備え、蓋垂下片４および被支持板７には、それぞれ第１および第２屈折フラップ８，９が内側上方および外側下方に屈折して設けられ、蓋垂下片４および被支持板７は、第１屈折フラップ８の先端部８ａが第２屈折フラップ９の屈折部９ａに当接することで互いに係合するようにされ、しかも、第２屈折フラップ９の屈折部９ｂには、第１屈折フラップ８の先端部８ａの圧接により切断され得る易切断部が形成されていることを解決手段とする。【選択図】  図１
2005335761.tif 000002
【特許請求の範囲】
【請求項１】
前後および左右一対の側板を有して上方に開口を形成する有底四角筒状のケース本体を備え、前側板の内面側に差し込まれる蓋垂下片を備える蓋体が、前記開口を閉塞すべく折り曲げられて後側板に連設されてなる改竄防止包装ケースにおいて、前記前側板に近接して沿わせるようにケース本体内で支持された被支持板をさらに備え、前記蓋垂下片および被支持板には、それぞれ第１および第２屈折フラップが内側上方および外側下方に屈折して設けられ、蓋垂下片および被支持板は、少なくとも一の屈折フラップの先端部が他の屈折フラップの屈折部に当接することで互いに係合するようにされ、しかも、前記他の屈折フラップの屈折部には、前記一の屈折フラップの先端部の圧接により切断され得る易切断部が形成されていることを特徴とする改竄防止包装ケース。
【請求項２】
前後および左右一対の側板を有して上方に開口を形成する有底四角筒状のケース本体を備え、前側板の内面側に差し込まれる蓋垂下片を備える蓋体が、前記開口を閉塞すべく折り曲げられて後側板に連設されてなる改竄防止包装ケースにおいて、前記前側板に近接して沿わせるようにケース本体内で支持された被支持板をさらに備え、前記蓋垂下片および被支持板には、それぞれ第１および第２屈折フラップが内側上方および外側下方に屈折して設けられ、蓋垂下片および被支持板は、少なくとも一の屈折フラップの先端部が他の屈折フラップの屈折部に当接することで互いに係合して蓋体の開放を阻止するようにしたことを特徴とする改竄防止包装ケース。
【請求項３】
前後一対の側板を有して少なくとも上方に開口を形成するケース本体を備え、前側板の内面側に差し込まれる蓋片を有する蓋体が、前記開口を閉塞すべく折り曲げられて後側板に連設されてなる改竄防止包装ケースにおいて、前側板に近接して沿わせるように後側板で支持された被支持板をさらに備え、前記蓋片および被支持板には、それぞれ第１および第２屈折フラップが内側上方および外側下方に屈折して設けられ、前記蓋片および被支持板は、少なくとも一の屈折フラップの先端部が他の屈折フラップの屈折部に当接することで互いに係合して蓋体の開放を阻止するようにしたことを特徴とする改竄防止包装ケース。
【請求項４】
前記後側板の上下方向中間部に底面と略平行に折曲線が形成されると共に、該折曲線の両端を結ぶように且つ前記前側板における部分が前記折曲線よりも底面側に位置するように前記ケース本体に切断線が連続して形成され、前記折曲線および切断線によってケース本体が上部ケース本体および下部ケース本体とに区画され、該切断線の切断により、前記上部ケース本体が下部ケース本体に対して前記折曲線をピボットとして前方から開封されるように構成されている請求項１または２に記載の改竄防止包装ケース。
【請求項５】
前記後側板の上縁に前記蓋体をケース本体に対して折り曲げる折曲線が形成されると共に、該折曲線の両端を結ぶように且つ前記前側板における部分が前記折曲線よりも底面側に位置するようにケース本体に切断線が連続して形成され、前記折曲線および切断線によってケース本体が上部ケース本体および下部ケース本体とに区画され、該切断線の切断により、前記蓋体が下部ケース本体に対して前記折曲線をピボットとして前方から開封されるように構成されている請求項１ないし３のいずれかに記載の改竄防止包装ケース。
【請求項６】
前記前側板の上下方向中間部に底面と略平行に折曲線が形成されると共に該折曲線の両端を結ぶようにケース本体に切断線が連続して形成され、前記折曲線および切断線によってケース本体が上部ケース本体および下部ケース本体とに区画され、該切断線の切断により、前記上部ケース本体が下部ケース本体に対して前記折曲線をピボットとして後方から開封されるように構成されている請求項１または２に記載の改竄防止包装ケース。
【請求項７】
前記前側板の上縁の両端を結ぶようにケース本体に切断線が連続して形成され、前記上縁および切断線によってケース本体が上部ケース本体および下部ケース本体とに区画され、該切断線の切断により、前記上部ケース本体が下部ケース本体に対して前記上縁をピボットとして後方から開封されるように構成されている請求項１ないし３のいずれかに記載の改竄防止包装ケース。
【請求項８】
前記ケース本体の上下中間部を一周するように切断線が形成されると共に該切断線によって該ケース本体が上部ケース本体と下部ケース本体とに区画され、前記切断線の切断により前記上部および下部ケース本体が互いに分離されて開封されるように構成されている請求項１ないし３のいずれかに記載の改竄防止包装ケース。
【請求項９】
前記左右側板の上縁に左右一対のサイドフラップがケース本体の内側に折り曲げられて連設され、前記蓋垂下片は、前記蓋体の閉塞時にケース本体の前側板と各サイドフラップとの間に挟持係合される請求項１ないし２、または、４ないし８のいずれかに記載の改竄防止包装ケース。
【請求項１０】
前後および左右一対の構成板を有してケース本体の内部に嵌合支持される角筒体を備え、前記被支持板は、前記角筒体の前構成板を用いて形成されている請求項１ないし２、または、４ないし９のいずれかに記載の改竄防止包装ケース。
【請求項１１】
前記前後および左右の側板の下縁にそれぞれ底板形成片がケース本体の内側に折り曲げられて連設され、各底板形成片が互いに組み合うことで底板が形成される一方、前記角筒体の少なくとも一つの構成板の下縁に底片が角筒体の内側に折り曲げられて連設され、該底片を介して改竄防止包装ケース内に収容される被包装物により前記底板が押圧されるように構成されている請求項１０に記載の改竄防止包装ケース。
【請求項１２】
前記左右側板の上縁に左右一対のサイドフラップがケース本体の内側に折り曲げられて連設され、前記角筒体の後構成板の上縁に内フラップが折り曲げられて連設され、各サイドフラップが内フラップに組み合わされて開口を略閉塞するように構成されている請求項１０または１１に記載の改竄防止包装ケース。
【請求項１３】
前後および左右一対の構成板を有してケース本体の内部に嵌合支持される角筒体を備え、前記被支持板は、前記角筒体の前構成板を用いて形成されると共に、前記角筒体の上下中間部を一周するように第２切断線が形成され、該第２切断線は、前記切断線の切断に伴い切断され得るように構成されている請求項８に記載の改竄防止包装ケース。
【請求項１４】
前記蓋体およびケース本体が１枚のシート材により一体的に形成されている請求項１ないし１３のいずれかに記載の改竄防止包装ケース。
【請求項１５】
前記蓋体およびケース本体が１枚のシート材により一体的に形成されていると共に、前記角筒体が１枚のシート材により一体的に形成されている請求項１０ないし１３のいずれかに記載の改竄防止包装ケース。
【請求項１６】
前記蓋体、ケース本体、および角筒体が１枚のシート材により一体的に形成されている請求項１０ないし１３のいずれかに記載の改竄防止包装ケース。
【請求項１７】
前後一対の側板を有して少なくとも上方に開口を形成するケース本体を備え、前側板の外面側に沿わせる蓋垂下片を有する蓋体が、前記開口を開閉すべく折り曲げられて後側板に連設されてなる収容ケースにおいて、後側板の上縁または上下中間部に、底面と略平行に、折り曲げ自在な折曲線が形成されると共に、前記蓋垂下片および前側板には、それぞれ第１および第２屈折フラップが内側上方および外側下方に弾性的に屈折して設けられ、前記蓋垂下片および前側板は、第１屈折フラップの上面が第２屈折フラップの下面に接触することで互いに係合するようにされ、前記蓋体を押し下げると前記第１屈折フラップと第２屈折フラップとが係合して閉塞状態となる一方、前記蓋体の引き上げに伴って前記係合が解除されるように構成されていることを特徴とする収容ケース。
【請求項１８】
前後および左右一対の側板を有し、上方に開口を形成する有底四角筒ケース本体を備え、前側板の外面側に沿わせる蓋垂下片を有する蓋体が前記開口を閉塞すべく折り曲げられて後側板に連設され、後側板の上縁または上下中間部に、底面と略平行に、折り曲げ自在な折曲線が形成されると共に、前側板の上端は該折曲線よりも底面に近い位置に設けられ、該折曲線をピボットとして開閉する収容ケースにおいて、前記蓋垂下片下端、前側板上端には、それぞれ、第１および第２屈折フラップが内面上方および外面下方に弾性的に屈折して設けられ、前記蓋垂下片および前側板は、前記蓋体を押し下げると、第１屈折フラップの上面が第２屈折フラップの下面に接触することで互いに係合して、前記折曲線をピボットとして前面を閉塞し、また、前記蓋垂下片および前側板は、前記蓋体を引き上げに伴って前記係合が解除されるように構成されていることを特徴とする収容ケース。
【請求項１９】
前記蓋垂下片が蓋体本体の先端縁に長辺を沿わせた横方向に長尺な略矩形状に形成され、前記第１および第２屈折フラップがそれぞれ横方向に長尺な略矩形状に形成され、しかも、次の条件１〜条件３を同時に満たす請求項１８に記載の収容ケース。
（条件１）Ｌ1＞Ｌ3＋Ｌ4＋Ｌ5
（条件２）Ｘ＜Ｙ＋Ｌ3＋Ｌ4
（条件３）Ｘ＞Ｙ＋ｍａｘ（Ｌ3，Ｌ4）〔max(ａ，ｂ)は、ａとｂの大きい方を示す〕
ここで、Ｌ1：蓋垂下片の幅（ｃｍ）、Ｌ3：第１屈折フラップの幅（ｃｍ）、Ｌ4：第２屈折フラップの幅（ｃｍ）、Ｌ5：蓋体で開口を閉塞したときの蓋体と前側板の上端との距離（ｃｍ）、Ｘ：折曲線と蓋垂下片の下端との距離（ｃｍ）、Ｙ：折曲線と前側板の上端との距離（ｃｍ）
【発明の詳細な説明】
【技術分野】
【０００１】
本発明は、改竄防止包装ケースおよび収容ケースに関し、詳しくは、医薬品、衛生用品、食品等の被包装物の改竄防止機能（タンパーエビデント性）を備える改竄防止包装ケース、および、それら商品を収容するのに好適に用いられる収容ケースに関する。
【背景技術】
【０００２】
医薬品、衛生用品、食品その他の商品を収容するべく各種の包装ケースが使用されており、かかる包装ケースにおいては、流通過程において不正に開封され、被包装物たる商品に改竄（作為的改変）が施された後、再び封緘されたものが消費者に渡ることを防止すべく各種の改竄防止機能が付与されている。
【０００３】
かかる改竄防止機能としては、被包装物を２重、３重の包装ケースに包装したり、このようにして密封した包装ケースをさらにシュリンクフィルム等で被包したりするものや、あるいは、特許文献１に記載の如く包装ケースの蓋体に、先端が箱内側に折り返され且つ糊付されてなる糊付け片を有する舌片を設け、該舌片をケース本体の対向する部位に設けた差し込み口に差し込み、前記糊付け片の先端を前記差し込み口近傍に設けたロック片の先端に当接させることで蓋体をケース本来に固定し、無理に開けようとすると、ロック片の上部に設けた切り込み筋に切れ目が生じるようにしたものがある。
【特許文献１】実公平７−２５２９５号公報
【発明の開示】
【発明が解決しようとする課題】
【０００４】
しかしながら、上述した２重、３重の包装ケース等を用いるものでは、包装が厳重になりすぎて開封が煩雑である。また、特許文献１に記載のものでは、舌片およびロック片の先端同士を当接させるため蓋体のケース本体への固定が不安定となって封緘が不完全となり易く、しかも、舌片をケース外側からケース内側に向けて押すことで当接状態を解除して改竄の痕跡を残すことなく開封し得ると同時に、ロック片上部に設けた切り込み筋が外部に露出しているため、改竄防止機能を回避するために予め検討することが可能となる。
【０００５】
一方、昨今では、医薬品、衛生用品、食品その他の商品を収容するために、簡単且つ確実に開閉可能であり、利用価値の高い収容ケースが強く要望されている。
【０００６】
本発明は、上述した問題に鑑みてなされたものであり、本発明の一の目的は、簡単且つ確実に封緘可能であり、しかも、改竄された場合にその事実を隠蔽されることなく確実に知ることができる包装ケースを提供することにあり、本発明の他の目的は、簡単且つ確実に開閉可能であり、利用価値の高い収容ケースを提供することにある。
【課題を解決するための手段】
【０００７】
本発明に係る改竄防止包装ケースは、前後および左右一対の側板を有して上方に開口を形成する有底四角筒状のケース本体を備え、前側板の内面側に差し込まれる蓋垂下片を備える蓋体が、前記開口を閉塞すべく折り曲げられて後側板に連設されてなる改竄防止包装ケースにおいて、前記前側板に近接して沿わせるようにケース本体内で支持された被支持板をさらに備え、前記蓋垂下片および被支持板には、それぞれ第１および第２屈折フラップが内側上方および外側下方に屈折して設けられ、蓋垂下片および被支持板は、少なくとも一の屈折フラップの先端部が他の屈折フラップの屈折部に当接することで互いに係合するようにされ、しかも、前記他の屈折フラップの屈折部には、前記一の屈折フラップの先端部の圧接により切断され得る易切断部が形成されていることを特徴とする。
【０００８】
該改竄防止包装ケースによれば、少なくとも一の屈折フラップの先端部を他の屈折フラップの屈折部に当接させ、蓋体の蓋垂下片および箱本体に支持された被支持板に連設された第１および第２屈折フラップを係合させることのみで蓋体にて開口を閉塞することができ、しかも、少なくとも一の屈折フラップの先端部の圧接により切断され得るように他の屈折フラップの屈折部に易切断部が形成されているので、被包装物を改竄するべく蓋体を無理に開放しようとすると、一の屈折フラップの先端部が他の屈折フラップの屈折部に圧接して該他の屈折フラップが易切断部にて切断され、他の屈折フラップが落下して包装ケースの内部に残存するようになるので、改竄の痕跡が生じていることを改竄者に知られることなく確実に知ることができる。また、第１屈折フラップが蓋垂下片の内側に設けられているので、前側板と蓋垂下片との間の隙間に刃物を挿入して第１屈折フラップを切断して開封することが不可能となる。
【０００９】
また、本発明に係る改竄防止包装ケースは、前後および左右一対の側板を有して上方に開口を形成する有底四角筒状のケース本体を備え、前側板の内面側に差し込まれる蓋垂下片を備える蓋体が、前記開口を閉塞すべく折り曲げられて後側板に連設されてなる改竄防止包装ケースにおいて、前記前側板に近接して沿わせるようにケース本体内で支持された被支持板をさらに備え、前記蓋垂下片および被支持板には、それぞれ第１および第２屈折フラップが内側上方および外側下方に屈折して設けられ、蓋垂下片および被支持板は、少なくとも一の屈折フラップの先端部が他の屈折フラップの屈折部に当接することで互いに係合して蓋体の開放を阻止するようにしたことを特徴とする。
【００１０】
該改竄防止包装ケースによれば、蓋体の蓋垂下片が箱本体に支持された被支持板に第１および第２屈折フラップが係合することで蓋体の開放が阻止されているので、被包装物を改竄するべく蓋体を無理に開放しようとすると、改竄防止包装ケースの一部に大きな力が掛かるようになり、改竄防止包装ケースが力を込めれば引き裂くことの可能な紙等の材料から形成されていると、改竄防止包装ケースの一部に引き裂きの痕跡が残るようになる。また、第１屈折フラップが蓋垂下片の内側に設けられているので、前側板と蓋垂下片との間の隙間に刃物を挿入して第１屈折フラップを切断して開封することが不可能となる。
【００１１】
また、本発明に係る改竄防止包装ケースは、前後一対の側板を有して少なくとも上方に開口を形成するケース本体を備え、前側板の内面側に差し込まれる蓋片を有する蓋体が、前記開口を閉塞すべく折り曲げられて後側板に連設されてなる改竄防止包装ケースにおいて、前側板に近接して沿わせるように後側板で支持された被支持板をさらに備え、前記蓋片および被支持板には、それぞれ第１および第２屈折フラップが内側上方および外側下方に屈折して設けられ、前記蓋片および被支持板は、少なくとも一の屈折フラップの先端部が他の屈折フラップの屈折部に当接することで互いに係合して蓋体の開放を阻止するようにしたことを特徴とする。
【００１２】
該改竄防止包装ケースによれば、蓋体の蓋片が後側板に支持された被支持板に第１および第２屈折フラップを介して係合することで蓋体の開放が阻止されているので、被包装物を改竄するべく蓋体を無理に開放しようとすると、改竄防止包装ケースの一部に大きな力が掛かるようになり、改竄防止包装ケースが力を込めれば引き裂くことの可能な紙等の材料から形成されていると、改竄防止包装ケースの一部に引き裂きの痕跡が残るようになる。また、第１屈折フラップが蓋片の内側に設けられているので、前側板と蓋片との間の隙間に刃物を挿入して第１屈折フラップを切断して開封することが不可能となる。
【００１３】
前記改竄防止包装ケースにあっては、前記後側板の上下方向中間部に底面と略平行に折曲線が形成されると共に、該折曲線の両端を結ぶように且つ前記前側板における部分が前記折曲線よりも底面側に位置するようにケース本体に切断線が連続して形成され、前記折曲線および切断線によってケース本体が上部ケース本体および下部ケース本体とに区画され、該切断線の切断により、前記上部ケース本体が下部ケース本体に対して前記折曲線をピボットとして前方から開封されるように構成されていることが好ましい。
【００１４】
前記改竄防止包装ケースにあっては、前記後側板の上縁に前記蓋体をケース本体に対して折り曲げる折曲線が形成されると共に、該折曲線の両端を結ぶように且つ前記前側板における部分が前記折曲線よりも底面側に位置するようにケース本体に切断線が連続して形成され、前記折曲線および切断線によってケース本体が上部ケース本体および下部ケース本体とに区画され、該切断線の切断により、前記蓋体が下部ケース本体に対して前記折曲線をピボットとして前方から開封されるように構成されていることが好ましい。
【００１５】
上記２つの好ましい構成によれば、後側板に形成された折曲線の両端を結ぶ切断線の切断によりケース本体が該折曲線をピボットとして、蓋体で開口を閉塞した状態で改竄防止包装ケースを前方から開封することができるので、改竄防止包装ケースの開封操作がより簡単となると共に、不正に開封された場合には、その事実をより確実に知ることができる。また、蓋垂下片および被支持板を係脱させることなく収容ケースとして再利用することができるようになる。
【００１６】
前記改竄防止包装ケースにあっては、前記前側板の上下方向中間部に底面と略平行に折曲線が形成されると共に該折曲線の両端を結ぶようにケース本体に切断線が連続して形成され、前記折曲線および切断線によってケース本体が上部ケース本体および下部ケース本体とに区画され、該切断線の切断により、前記上部ケース本体が下部ケース本体に対して前記折曲線をピボットとして後方から開封されるように構成されていることが好ましい。
【００１７】
前記改竄防止包装ケースにあっては、前記前側板の上縁の両端を結ぶようにケース本体に切断線が連続して形成され、前記上縁および切断線によってケース本体が上部ケース本体および下部ケース本体とに区画され、該切断線の切断により、前記上部ケース本体が下部ケース本体に対して前記上縁をピボットとして後方から開封されるように構成されていることが好ましい。
【００１８】
上記２つの好ましい構成によれば、前側板に形成された折曲線の両端を結ぶ切断線の切断によりケース本体が該折曲線をピボットとして、蓋体で開口を閉塞した状態で改竄防止包装ケースを後方から開封することができるので、改竄防止包装ケースの開封操作がより簡単となると共に、不正に開封された場合には、その事実をより確実に知ることができる。
【００１９】
前記改竄防止包装ケースにあっては、前記ケース本体の上下中間部を一周するように切断線が形成されると共に該切断線によって該ケース本体が上部ケース本体と下部ケース本体とに区画され、前記切断線の切断により前記上部および下部ケース本体が互いに分離されて開封されるように構成されていることが好ましい。
【００２０】
上記好ましい構成によれば、例えば、上部および下部ケース本体をそれぞれ把持して捩るなど、物理的な力を加えることにより切断線が容易に切断されて上部および下部ケース本体が互いに分離されるので、改竄防止包装ケースの開封がより簡単となると共に、不正に開封された場合には、その事実をより確実に知ることができる。
【００２１】
前記改竄防止包装ケースにあっては、前記左右側板の上縁に左右一対のサイドフラップがケース本体の内側に折り曲げられて連設され、前記蓋垂下片は、前記蓋体の閉塞時にケース本体の前側板と各サイドフラップとの間に挟持係合されることが好ましい。
【００２２】
上記好ましい構成によれば、蓋垂下片が被支持片に係合したときに蓋体と左右側板との間に形成される隙間がサイドフラップによってより完全に遮蔽され、該隙間から被包装物を取り出すことがいっそう困難となる一方、蓋体の蓋垂下片が上部ケース本体の前側板および各サイドフラップの間に挟持係合されるので、上部ケース本体が蓋体に連結されるようになる。
【００２３】
前記改竄防止包装ケースにあっては、前後および左右一対の構成板を有してケース本体の内部に嵌合支持される角筒体を備え、前記被支持板は、前記角筒体の前構成板を用いて形成されていることが好ましい。
【００２４】
上記好ましい構成によれば、被支持板がケース本体の内部に嵌合支持される角筒体の前構成板を用いて形成されているので、被支持板を接着剤等を用いることなくケース本体に強固に支持させることができ、しかも、該角筒体によって、改竄防止包装ケースの機械的強度が高められる。
【００２５】
前記改竄防止包装ケースにあっては、記前後および左右の側板の下縁にそれぞれ底板形成片が折り曲げられて連設され、各底板形成片が互いに組み合うことで底板が形成される一方、前記角筒体の少なくとも一つの構成板の下縁に底片が折り曲げられて連設され、該底片を介して改竄防止包装ケース内に収容される被包装物により前記底板が押圧されるように構成されていることが好ましい。
【００２６】
上記好ましい構成によれば、ケース本体に設けられた複数の底板形成片が互いに組み合うことにより底板が形成され、しかも、該底板は、角筒体の下縁に連設された底片を介して被包装物により押圧されるので、該底板および底片により改竄防止包装ケースの底部がほぼ完全に遮蔽されて該底部から被包装物を取り出すことが不可能となる一方、各底板形成片が互いに組み合う際に生じるケース本体内への浮き上がりが抑えられ、改竄防止包装ケースの内容積が広く確保される。
【００２７】
前記改竄防止包装ケースにあっては、前記左右側板の上縁に左右一対のサイドフラップがケース本体の内側に折り曲げられて連設され、前記角筒体の後構成板の上縁に内フラップが折り曲げられて連設され、各サイドフラップが内フラップに組み合わされて開口を略閉塞するように構成されていることが好ましい。
【００２８】
上記好ましい構成によれば、蓋垂下片および被支持片が互いに係合したときに蓋体と左右側板との間に形成される隙間がサイドフラップによってより完全に遮蔽され、しかも、該サイドフラップは、ケース本体の内部に嵌合支持される角筒体の後構成板の上縁に連設された内フラップに組み合わされ支持されているので、指等で押し下げることも困難となり、該隙間から被包装物を取り出すことが不可能となる。
【００２９】
前記上部ケースと下部ケースとが分離されて開封される改竄防止包装ケースにあっては、前後および左右一対の構成板を有してケース本体の内部に嵌合支持される角筒体を備え、前記被支持板は、前記角筒体の前構成板を用いて形成されると共に、前記角筒体の上下中間部を一周するように第２切断線が形成され、該第２切断線は、前記切断線の切断に伴い切断され得るように構成されていることが好ましい。
【００３０】
上記好ましい構成によれば、例えば、上部および下部ケース本体をそれぞれ把持して捩るなど、物理的な力を加えることにより切断線が切断されて上部および下部ケース本体が互いに分離されると共に角筒体も第２切断線にて切断されるので、改竄防止包装ケースの開封操作がさらに簡単となる。
【００３１】
前記改竄防止包装ケースにあっては、前記蓋体およびケース本体が１枚のシート材により一体的に形成されていることが好ましい。
【００３２】
上記好ましい構成によれば、蓋体およびケース本体が一の工程で組み立てられるようになり、改竄防止包装ケースの製造工程数の減少に寄与して製造コストが削減される。また、機械を用いて組み立てることも容易となり、製造工程の自動化が可能となる。
【００３３】
また、前記改竄防止包装ケースにあっては、前記蓋体およびケース本体が１枚のシート材により一体的に形成されていると共に、前記角筒体が１枚のシート材により一体的に形成されていることが好ましい。
【００３４】
上記好ましい構成によれば、蓋体ならびにケース本体、および、角筒体がそれぞれ一の工程で組み立てられるようになり、改竄防止包装ケースの製造工程数の減少に寄与して製造コストが削減される。また、機械を用いて組み立てることも容易となり、製造工程の自動化が可能となる。
【００３５】
さらに、前記改竄防止包装ケースにあっては、前記蓋体、ケース本体、および角筒体が１枚のシート材により一体的に形成されていることが好ましい。
【００３６】
上記好ましい構成によれば、蓋体、ケース本体、および角筒体が一の工程で組み立てられるようになり、改竄防止包装ケースの製造工程数の減少に寄与して製造コストが削減される。また、機械を用いて組み立てることもさらに容易となり、製造工程の自動化が可能となる。
【００３７】
本発明に係る収容ケースは、前後一対の側板を有して少なくとも上方に開口を形成するケース本体を備え、前側板の外面側に沿わせる蓋垂下片を有する蓋体が、前記開口を開閉すべく折り曲げられて後側板に連設されてなる収容ケースにおいて、後側板の上縁または上下中間部に、底面と略平行に、折り曲げ自在な折曲線が形成されると共に、前記蓋垂下片および前側板には、それぞれ第１および第２屈折フラップが内側上方および外側下方に弾性的に屈折して設けられ、前記蓋垂下片および前側板は、第１屈折フラップの上面が第２屈折フラップの下面に接触することで互いに係合するようにされ、前記蓋体を押し下げると前記第１屈折フラップと第２屈折フラップとが係合して閉塞状態となる一方、前記蓋体の引き上げに伴って前記係合が解除されるように構成されていることを特徴とする。
【００３８】
該収容ケースによれば、蓋体の蓋垂下片を押し下げることにより、ケース本体の前側板に第１および第２屈折フラップを係合させ、蓋体をケース本体に対して確実にロック状態として開口を閉塞し得ると共に、蓋体の引き上げに伴ってその係合が解除されて開口が開放されるので、簡単且つ確実に開閉することができる。
【００３９】
また、本発明に係る収容ケースは、前後および左右一対の側板を有し、上方に開口を形成する有底四角筒ケース本体を備え、前側板の外面側に沿わせる蓋垂下片を有する蓋体が前記開口を閉塞すべく折り曲げられて後側板に連設され、後側板の上縁または上下中間部に、底面と略平行に、折り曲げ自在な折曲線が形成されると共に、前側板の上端は該折曲線よりも底面に近い位置に設けられ、該折曲線をピボットとして開閉する収容ケースにおいて、前記蓋垂下片下端、前側板上端には、それぞれ、第１および第２屈折フラップが内面上方および外面下方に弾性的に屈折して設けられ、前記蓋垂下片および前側板は、前記蓋体を押し下げると、第１屈折フラップの上面が第２屈折フラップの下面に接触することで互いに係合して、前記折曲線をピボットとして前面を閉塞し、また、前記蓋垂下片および前側板は、前記蓋体を引き上げに伴って前記係合が解除されるように構成されていることを特徴とする。
【００４０】
該収容ケースによれば、有底四角筒状のケース本体により全体を箱状に形成し得ると共に、蓋体の蓋垂下片およびケース本体の前側板を第１および第２屈折フラップを係合させることで、確実にロック状態として開口を閉塞し得ると共に、蓋体の引き上げに伴って折曲線をピボットとして蓋体およびこれに連結する部分が回転することにより、その係合が解除されて開口が開放されるので、簡単且つ確実に開閉することができる。
【００４１】
前記収容ケースにあっては、前記蓋垂下片が蓋体本体の先端縁に長辺を沿わせた横方向に長尺な略矩形状に形成され、前記第１および第２屈折フラップがそれぞれ横方向に長尺な略矩形状に形成され、しかも、次の条件１〜条件３を同時に満たすのが好ましい。
（条件１）Ｌ1＞Ｌ3＋Ｌ4＋Ｌ5
（条件２）Ｘ＜Ｙ＋Ｌ3＋Ｌ4
（条件３）Ｘ＞Ｙ＋ｍａｘ（Ｌ3，Ｌ4）〔max(ａ，ｂ)は、ａとｂの大きい方を示す〕
ここで、Ｌ1：蓋垂下片の幅（ｃｍ）、Ｌ3：第１屈折フラップの幅（ｃｍ）、Ｌ4：第２屈折フラップの幅（ｃｍ）、Ｌ5：蓋体で開口を閉塞したときの蓋体と前側板の上端との距離（ｃｍ）、Ｘ：折曲線と蓋垂下片の下端との距離（ｃｍ）、Ｙ：折曲線と前側板の上端との距離（ｃｍ）
【００４２】
上記好ましい構成では、蓋垂下片の幅（Ｌ1）が、第１屈折フラップの幅（Ｌ3）、第２屈折フラップの幅（Ｌ4）及び蓋体を閉塞したときの蓋体と前側板上端との距離（Ｌ5）の和よりも大きいため、蓋体を押し下げると第１屈折フラップの上端が第２屈折フラップの下端よりも底面に近いところに一旦下がり、蓋体が上方に戻る際、第１屈折フラップと第２屈折フラップとの係合が可能となる。
【００４３】
また、前側板の上端が折曲線よりも底面に近い位置に設けられているため、折曲線と蓋垂下片の下端との距離（Ｘ）は、折曲線と前側板の上端との距離（Ｙ）よりも常に長いが、両者の差が、第１屈折フラップの幅（Ｌ3 ）及び第２屈折フラップの幅（Ｌ4 ）の和よりも短いため、蓋体及びこれに連結する部分が折曲線をピボットとして回転することにより、蓋体が引き上げられる際、第１屈折フラップの上面と第２屈折フラップの下面とが接触することになる。
【００４４】
一方、折曲線と蓋垂下片の下端との距離（Ｘ）と折曲線と前側板の上端との距離（Ｙ）との差が、第１屈折フラップの幅（Ｌ3）及び第２屈折フラップの幅（Ｌ4）の長い方の長さよりも長いため、蓋体及びこれに連結する部分が折曲線をピボットとして回転することにより、蓋体が引き上げられる際、第１屈折フラップ、第２屈折フラップはいずれも他方の屈折部に当たって係合解除が阻害されることもない。
【００４５】
ここで、本発明に係る改竄防止包装ケースにおいて、ケース本体、蓋体、蓋垂下片、被支持板、サイドフラップ、角筒体、底板、底片等の改竄防止包装ケースの部材としては、様々な材質のものを使用することができ、例えば、軟質プラスティック、紙等の軟質素材、金属、硬質プラスティック等の硬質素材又はこれらを組合せたものを使用することができるが、輸送時の破損の危険性、重量、製造費用、加工のし易さ、リサイクルの容易さの点からは、紙を使用して製造するのが好ましい。
【００４６】
ケース本体は上方の開口以外からの改竄が困難な形になっているものが好ましく、開口を閉塞すべく折り曲げられて後側板に連設される蓋体は、開口部からの改竄が困難な形のものであればよく、形状的には平面的なもの、曲面を有するものの何れでもよく、底面と必ずしも平行である必要はないが、平面であるのが好ましく、底面と平行な平面であるのがより好ましい。
【００４７】
第１屈折フラップ、第２屈折フラップは、それぞれ、蓋垂下片、被支持板と鋭角を形成するように屈折している状態を基準状態として、屈折部以外にかかる物理的な力によって角度を変化させうるものであるが、該力が除かれた場合には、基準状態に復元する性質を有するものであるのが好ましい。
【００４８】
一方、屈折フラップの屈折部に形成される易切断部は、蓋体と左右側板との間に空隙を形成して内容物の改竄を行うために蓋体を引き上げると、蓋垂下片が上方に上がり、他方の屈折フラップの先端部の圧接により切断され易いようになっていることが必要であるが、屈折フラップが屈折部以外にかかる物理的な力によって角度を変化させうるものであるのが好ましい。
【００４９】
かかる易切断部の具体例としては、屈折部が部分的に切断されているもの（例えば、紙製、プラスティック製等の場合には、ミシン目によるもの）をあげることができる。
【００５０】
また、本発明に係る改竄防止包装ケースに設けられる切断線は、通常の輸送等の状態でかかる物理的な力では切断されないが、局部的に物理的な力をかけると容易に切断できるものであり、また、切断線は幅を有する帯状のものであってもよく、ある部分は幅が広く、他の部分が幅が狭くてもよい。更に、帯状の切断線は開封操作を容易にするために、微小な舌片部を有してもよい。
【００５１】
折曲線は折り曲げ自在であり、底面と平行に設けるのが好ましい。切断線が切断された後は、蓋体及びこれと連結された部分が折曲線をピボットとして、回転することにより、開封されることになるため、収容容器として再利用する場合には折曲線はある程度の耐久性を有することが好ましい。
【００５２】
また、後側板に設けた折曲線をピボットとして前面から開封する場合には、折曲線と共に前側板の切断線も底面と略平行とするのが好ましい。
【００５３】
本発明の収容ケースにおいては、蓋体を押し下げるときには、第１屈折フラップの下面が第２屈折フラップの上面を押して両フラップを閉じる方向に力がかかり、第１屈折フラップの上端が第２屈折フラップの下端を通過した段階で両フラップの基準状態への復元により、係合が可能となる。一方、蓋体を引き上げるときには、蓋体およびこれと連結する部分が折曲線をピボットとして回転するため、第１屈折フラップが上方ではなく、前上方に動くことにより、第１屈折フラップおよび第２屈折フラップが開く方向に力がかかるため、容易に係合を解除することができる。
【００５４】
また、本発明に係る改竄防止包装ケースは、医薬品、食品等のように内容物の改竄によって人体への大きな影響を生じる製品、ソフトウエアのように内容物を容易にコピーすることができるため、開封によりライセンス契約が生じるとされる製品、秘密性の高い書類等に使用すると特に効果を発揮するが、その他の一般消費財についても適宜使用することができる。また、本発明に係る収容ケースは、開閉が容易であるため、洗剤、調味料、医薬品原末、小分け医薬品（例えば、ＰＴＰシート）等のように、頻繁に内容物を取り出す必要性がある製品に使用すると特に効果を発揮するが、他の一般消費財にも使用することができる。
【００５５】
更に、本発明に係る改竄防止包装ケースおよび収容ケースに製品を収容する際には、製品の性状（例えば、粉末、液体）等により必要に応じて、予め、製品を袋詰等の包装を行っておいてもよい。
【発明の効果】
【００５６】
以上のように、本発明に係る包装ケースによれば、簡単且つ確実に封緘可能であり、しかも、改竄された場合にその事実を隠蔽されることなく確実に知ることができる。
また、本発明に係る収容ケースによれば、簡単且つ確実に開閉可能であり、利用価値の高い収容ケースとなる。
【発明を実施するための最良の形態】
【００５７】
＜第１実施形態＞
以下、本発明の第１実施形態に係る紙製包装箱（改竄防止包装ケース）について図面を参照しながら説明する。図１〜図４に示すように、該紙製包装箱は、前後一対の側板２ａ，２ｂおよび左右一対の側板３ａ，３ｂを有して上方に開口６を形成する有底四角筒状の箱本体（ケース本体）１と、前側板２ａの内面側に差し込まれる蓋垂下片４を備える蓋体５と、前側板２ａに近接して沿わせるように箱本体１内で支持された被支持板７とを備えている。そして、前記蓋体５は、前記開口６を閉塞すべく折り曲げられて後側板２ｂに連設されている。
【００５８】
図１〜図４に示す紙製包装箱においては、前記蓋体５は、後側板２ｂの上縁に形成された折曲線１９を介して箱内側に折り込み可能に設けられている。また、蓋体５は、開口６と略同サイズ且つ同形状に形成されており、前記蓋垂下片４は、前記蓋体５の先端縁に横線４ａを介して折り曲げられて連設されている。また、前記蓋垂下片４は、蓋体５の先端縁に長辺を沿わせた横方向に長尺な略矩形状に形成されている。尚、本実施形態の紙製包装箱には、いわゆる紙器用板紙、詳しくは、折り曲げると適度な弾性を発現する組み立て箱用板紙が用いられている。
【００５９】
本実施形態の紙製包装箱は、図１に示すように、前後一対の構成板１２ａ，１２ｂおよび左右一対の構成板１３ａ，１３ｂを有して箱本体１の内部に嵌合支持される角筒体１１を備えており、前記被支持板７は、この角筒体１１の前構成板１２ａを用いて形成されている。また、角筒体１１の後構成板１２ｂの上縁には、内フラップ１７ａが折り曲げられて連設されている。また、箱本体１の各側板３ａ，３ｂの上縁には、左右一対のサイドフラップ１８ａ，１８ｂが箱本体１の内側に折り曲げられて連設されている。
【００６０】
各サイドフラップ１８ａ，１８ｂは、図２に示すように、内フラップ１７ａに組み合わされて開口６を略閉塞するように構成されている。詳しくは、内フラップ１７ａは、コ字状の外形を呈しており、その凹部１７ｃに各サイドフラップ１８ａ，１８ｂの先端部１８ｃ，１８ｄが係合するようになっている。
【００６１】
また、前記蓋垂下片４が箱本体１の前側板２ａの内面側に差し込まれ、前記蓋体５が開口６を閉塞したとき（蓋体５の閉塞時）に、該蓋垂下片４は前側板２ａと各サイドフラップ１８ａ，１８ｂとの間に挟持係合されるべく構成されている。詳しくは、図２に示すように、蓋垂下片４の左右上端には、横線４ａに沿うように左右一対の切り欠き４ｂ，４ｃがそれぞれ形成され、各サイドフラップ１８ａ，１８ｂの前側下端部には、蓋体５の閉塞時に各切り欠き４ｂ，４ｃと係合する左右一対の小突起１０ａ，１０ｂがそれぞれ形成され、該各切り欠き４ｂ，４ｃと小突起１０ａ，１０ｂとの係合により、前記蓋垂下片４が、前側板２ａと各サイドフラップ１８ａ，１８ｂとの間に挟持係合されるようになっている。
【００６２】
図１に戻り、前記箱本体１は、各側板２ａ，２ｂ；３ａ，３ｂの下縁にそれぞれ折り曲げられて連設された底板形成片１４ａ，１４ｂ；１５ａ，１５ｂを備えており、図２に示すように各底板形成片１４ａ，１４ｂ；１５ａ，１５ｂが互いに組み合うことで底板１６が形成されている。詳しくは、各底板形成片１４ａ，１４ｂは、それぞれ互いに係合する際に用いる係合部５２，５３（図１参照）と、それぞれ底板形成片１５ｂ，１５ａに接着される際に用いる接着部５４，５５（図１〜図４においては図示せず）とを備えている。また、各係合部５２，５３の下端には、それぞれ折り目１４ｃ，１４ｄが形成されている。そして、底板形成片１４ａと底板形成片１５ｂ、および、底板形成片１４ｂと底板形成片１５ａは、後述するように、それぞれ接着部５４，５５を介して接着されて一体化されており、各底板形成片１４ａ，１４ｂ；１５ａ，１５ｂは、底板形成片１４ａ，１４ｂの各係合部５２，５３同士が折り目１４ｃ，１４ｄに沿って箱内側に折り込まれて交差することで互いに組み合わされている。
【００６３】
また、図１に示すように、前記角筒体１１の前構成板１２ａの下縁に底片１７ｂが角筒体１１の内側に折り曲げられて連設されており、該底片１７ｂを介して紙製包装箱内に収容される被包装物により箱本体１の底板１６が押圧されるように構成されている（図２参照）。このように、前記底片１７ｂを介して箱本体１の底板１６が被包装物により押圧されることで、各底板形成片１４ａ，１４ｂ；１５ａ，１５ｂが互いに組み合う際に生じる箱本体１内への浮き上がりが効果的に抑えられ、箱本体１の内容積が広く確保されている。尚、底片１７ｂは、下底を角筒体１１の前構成板１２ａの下縁に沿わせた台形状に形成されている。
【００６４】
本実施形態の紙製包装箱においては、図３に示すように、前記折曲線１９の両端を結ぶように箱本体１に切断線２０が形成されている。そして、該折曲線１９および切断線２０によって箱本体１が上部箱本体１ａと下部箱本体１ｂとに区画されている。詳しくは、該切断線２０は、前側板２ａにおいては、その上縁と略平行に、左右側板３ａ，３ｂにおいては、折曲線１９の両端に向けて上方に傾斜して形成されている。尚、図３に示す箱本体１においては、切断線２０ａが切断線２０の下方に該切断線２０と略平行に左側板３ａの途中、前側板２ａの全幅、右側板３ｂの途中に亘り連続して形成されていると共に左右側板３ａ，３ｂの略中央部において両切断線２０，２０ａを上下方向に結ぶ切欠線２０ｂが形成されている。そして、各切断線２０，２０ａおよび切欠線２０ｂにより区画されて長尺の領域が形成され、該領域の両端部につまみ片２３が設けられている。そして、各つまみ片２３を指で摘んで剥離することで各切断線２０，２０ａが容易に切断され、紙製包装箱の開封操作がより簡単に行えるようになっている。
【００６５】
本実施形態の紙製包装箱は、切断線２０が切断されることで、図４に示すように、前記上部および下部箱本体１ａ，１ｂが互いに分離されるように構成されている（上部箱本体１ａにおける前側板２ａおよび左右一対の側板３ａ，３ｂを下部箱本体１ｂにおけるそれらと区別してそれぞれ前側板２ｃおよび左右一対の側板３ｃ，３ｄとする）。尚、図４に示す紙製包装箱においては、上述のように、蓋垂下片４が箱本体１の前側板２ａ（前側板２ｃ）および各サイドフラップ１８ａ，１８ｂの間に挟持係合されているので、上部箱本体１ａは、蓋垂下片４および各サイドフラップ１８ａ，１８ｂを介して蓋体５に係合支持される（上部箱本体１ａが蓋体５に連結される）。一方、角筒体１１の後構成板１２ｂに連設された内フラップ１７ａは、上述のように、各サイドフラップ１８ａ，１８ｂに係合されており、しかも、後構成板１２ｂの上縁に折り曲げられて連設されているので、切断線２０の切断により、蓋体５は上部箱本体１ａを伴って折曲線１９（後構成板１２ｂの上縁）をピボットとして前方から開封されるようになる。
【００６６】
本実施形態の紙製包装箱においては、図１〜図４に示すように、蓋垂下片４および被支持板７（前構成板１２ａ）には、それぞれ第１屈折フラップ８および第２屈折フラップ９が内側上方および外側下方に屈折して設けられている。詳しくは、第１および第２屈折フラップ８，９は、蓋垂下片４の先端縁および被支持板７の上縁にそれぞれ直線状の屈折部８ｂおよび屈折部９ｂを介して連設されると共に該屈折部８ｂおよび屈折部９ｂに沿って弾性的に屈折している。また、前記第１および第２屈折フラップ８，９は、それぞれ蓋垂下片４の先端縁および被支持片７の上縁に連設されると共に該先端縁および上縁に長辺を沿わせた横方向に長尺な略矩形状に形成されている。そして、第１屈折フラップ８の幅は、第２屈折フラップ９の幅より大に形成されている。
【００６７】
前記蓋垂下片４および被支持板７は、第１屈折フラップ８の先端部８ａが第２屈折フラップ９の屈折部９ｂに当接することで互いに係合するようにされており、しかも、前記第２屈折フラップ９の屈折部９ｂには、前記第１屈折フラップ８の先端部８ａの圧接により切断され得るミシン目（易切断部）１０（図１〜図４においては図示せず。）が形成されている。詳しくは、本実施形態の紙製包装箱の内部に被包装物を収容し、図２に示すように、各サイドフラップ１８ａ，１８ｂを内フラップ１７ａに係合させて開口６を略閉塞した後、蓋体５を折曲線１９に沿って箱内側に折り込むと共に蓋垂下片４を前側板２ａの内面側に差し込んでいくと、各屈折フラップ８，９は弾性的に屈折しているので、その弾性力により互いに接近する方向に付勢されて面接触する。さらに、各屈折フラップ８，９の弾性力に抗して蓋体５を下方に押し下げ、第１屈折フラップ８の先端部８ａが第２屈折フラップ９の先端部９ａを超えると、図５（ａ）に示すように、各屈折フラップ８，９が復元してそれぞれの先端部８ａ，９ａが被支持板７および前側板２ａに当接し、これにより蓋体５により開口６が閉塞される。
【００６８】
かかる閉塞状態から、蓋体５を引き上げると、図５（ｂ）に示すように、第１屈折フラップ８の先端部８ａが第２屈折フラップ９の屈折部９ｂに当接し、各屈折フラップ８，９が互いに係合する。
【００６９】
さらに、係合力に抗して蓋体５を引き上げると、被支持板７は、上述のように、箱本体１の内部で支持されている角筒体１１の前構成板１２ａを用いて構成されているので、図５（ｃ）に示すように、第１屈折フラップ８は第２屈折フラップ９によって上方への移動を阻止されつつ箱本体１の前側板２ａと被支持板７との間に挟持され、第２屈折フラップ９の屈折部９ｂが第１屈折フラップ８の先端部８ａによって圧接される（強く押圧される）ので、屈折部９ｂに形成されたミシン目１０が切断され、第２屈折フラップ９が被支持板７から分離する。
【００７０】
尚、このように第１および第２屈折フラップ８，９がそれぞれ屈折部８ｂおよび屈折部９ｂに沿って弾性的に屈折していることにより、蓋体５の閉塞時に第１屈折フラップ８の弾性力により該第１屈折フラップ８の先端部が付勢されて被支持板７に当接する一方、第２屈折フラップ９の弾性力により該第２屈折フラップ９の先端部が付勢されて前側板２ａに圧接するので、より確実に係合し合うようになり、本実施形態の紙製包装箱の改竄防止効果がより確実に発揮されるようになる。また、本実施形態の紙製包装箱においては、第１屈折フラップ８の屈折部８ｂにも、第２屈折フラップ９の先端部９ａの圧接により切断され得るミシン目１０（図１〜図５においては図示せず。）が形成されている。
【００７１】
以下、本実施形態の紙製包装箱の製造方法について説明する。該紙製包装箱の製造方法は、まず、図６に示すような、罫線３０を介して連設された前後一対の側板２ａ，２ｂおよび左右一対の側板３ａ，３ｂと、左側板３ａの後方縁に連設された糊代部５０と、各側板３ａ，３ｂの上縁にそれぞれ連設されたサイドフラップ１８ａ，１８ｂと、各側板２ａ，２ｂ；３ａ，３ｂの下縁にそれぞれ連設された底板形成片１４ａ，１４ｂ；１５ａ，１５ｂと、後側板２ｂの上縁に折曲線１９を介して連設された蓋体５と、該蓋体５の先端縁に横線４ａを介して連設された蓋垂下片４と、該蓋垂下片４の先端縁に第１屈折部８ｂを介して連設された第１屈折フラップ８とを備える紙製の打抜片１００を形成する。ここで、各底板形成片１４ａ，１４ｂにおいて、各係合部５２，５３の下端にそれぞれ折り目１４ｃ，１４ｄを形成すると共に各接着部５４，５５の下端にそれぞれ折り目１４ｅ，１４ｆを形成する。ここで、第１屈折部８ｂにミシン目１０を形成する。また、前側板２ａにおいては、その上縁と略平行に、左右側板３ａ，３ｂにおいては、折曲線１９の両端に向けて上方に傾斜させて切断線２０を連続して形成する一方、切断線２０ａを切断線２０の下方に該切断線２０と略平行に左側板３ａの途中、前側板２ａの全幅、右側板３ｂの途中に亘り連続して形成すると共に側板３ａ，３ｂの略中央部において両切断線２０，２０ａを上下方向に結ぶ切欠線２０ｂを形成することで、各切断線２０，２０ａおよび切欠線２０ｂにより区画して長尺の領域を形成し、さらに該領域の両端部につまみ片２３を設ける。
【００７２】
また、罫線３０ａを介して連設された前後および左右構成板１２ａ，１２ｂ；１３ａ，１３ｂと、右構成板１３ｂの後方縁に連設された糊代部５１と、前構成板１２ａの下縁に連設された底片１７ｂと、前構成板１２ａの上縁に第２屈折部９ｂを介して連設された第２屈折フラップ９と、後構成板１２ｂの上縁に連設された内フラップ１７ａとを備えた紙製の打抜片１０１を形成する。ここで、第２屈折部９ｂにミシン目１０を形成する。
【００７３】
その後、打抜片１００については、各側板２ａ，３ａ；２ｂ，３ｂを各罫線３０に沿って筒状に折り曲げ、糊代部５０に接着剤を用いて左側板３ａを後側板２ｂの左端部に接着すると共に、接着部５４，５５に接着剤を用いて、底板形成片１４ａと底板形成片１５ｂ、および、底板形成片１４ｂと底板形成片１５ａを、それぞれ底板形成片１４ｂ，１４ａが箱外側に位置するように接着して一体化する。続いて、罫線３０を介して各側板２ａ，３ａ；２ｂ，３ｂを互いに略直角状になるように折り曲げ、各底板形成片１４ａ，１５ｂ；１４ｂ，１５ａを、それぞれ側板２ａ，３ｂ；２ｂ，３ａに対して略直角状になるように折り曲げながら折り目１４ｅ，１４ｆをならしつつ、さらに各折り目１４ｃ，１４ｄを箱内側に折り込みながら底板形成片１４ａ，１４ｂの各係合部５２，５３同士を交差させ、最後に各折り目１４ｃ，１４ｄをならしつつ、各底板形成片１４ａ，１５ｂ；１４ｂ，１５ａを互いに組み合わせて底板１６（図２参照）を形成すると、箱本体１が完成する。
【００７４】
一方、打抜片１０１については、各構成板１２ａ，１３ｂ；１２ｂ，１３ａ同士が略直角状になるように各罫線３０ａに沿って折り曲げ、糊代部５１に接着剤を用いて右構成板１３ｂを後構成板１２ｂの右端部に接着すると、角筒体１１が完成する。
【００７５】
そして、図１に示すように、角筒体１１の内フラップ１７ａおよび底片１７ｂを内側に折り曲げ、かつ、第２屈折フラップ９を第２屈折フラップの屈折部９ｂで外側下方に折り曲げた状態で、角筒体１１を箱本体１に嵌め込み、各サイドフラップ１８ａおよび１８ｂを箱体の内側に折り曲げて内フラップ１７ａと係合させ、蓋体５を箱体の内側に折り曲げ、第１屈折フラップ８を第１屈折フラップの屈折部８ｂで内側上方に折り曲げた状態で、横線４ａで蓋垂下片４を箱本体内側に折り曲げ、第１屈折フラップ８を前側板２ａと第２屈折フラップ９との間に挿入することで、本実施形態の紙製包装箱が完成する。
【００７６】
以上説明したように、本実施形態の紙製包装箱によれば、第１屈折フラップ８の先端部８ａを第２屈折フラップ９の屈折部９ｂに当接させ、第１および第２屈折フラップ８，９を係合させることのみで蓋体５にて開口６を閉塞することができ、しかも、第１屈折フラップ８の先端部８ａの圧接により切断され得るように第２屈折フラップ９の屈折部９ｂにミシン目１０が形成されているので、被包装物を改竄するべく蓋体５を無理に開放しようとすると、第１屈折フラップ８の先端部８ａが第２屈折フラップ９の屈折部９ｂに圧接して該第２屈折フラップ９がミシン目１０にて切断され、第２屈折フラップ９が落下する。また、第１屈折フラップ８が蓋垂下片４の内側に設けられているので、前側板２ａと蓋垂下片４との間の隙間に刃物を挿入して第１屈折フラップ８を切断して開封することが不可能となる。
【００７７】
尚、本発明は上述した第１実施形態に限定されず、本発明の技術的思想の範囲内で種々の形態の実施が可能である。
【００７８】
例えば、第１実施形態の紙製包装箱では、前記第１屈折フラップ８の幅は、第２屈折フラップ９の幅より大に形成すると共に、第２屈折フラップ９の屈折部９ｂには、第１屈折フラップ８の先端部８ａの圧接により切断され得るミシン目１０を形成したが、本発明はこれに限定されず、第１屈折フラップ８の幅は、第２屈折フラップ９の幅より小に形成しても良い。これにより、被包装物を改竄するべく蓋体５を無理に開放しようとすると、第２屈折フラップ９の先端部９ａが第１屈折フラップ８の屈折部８ｂに圧接して該第１屈折フラップ８がミシン目１０にて切断され、第１屈折フラップ８が落下して紙製包装箱の内部に残存するようになるので、改竄の痕跡が生じていることを改竄者に知られることなく確実に知ることができる。また、この場合、被支持片７から分離された第１屈折フラップ８は、紙製包装箱の底部まで落下するので、改竄の痕跡が生じていることが改竄者に知られる確率をさらに小さくすることができる。
【００７９】
また、第１実施形態では、前記第１および第２屈折フラップ８，９の各屈折部８ｂ，９ｂにそれぞれ第１および第２屈折フラップ８，９の各先端部８ａ，９ａが圧接することで切断され得るミシン目１０を形成したが、かかるミシン目１０を設けることなく、前記蓋片４および被支持板７は、一の屈折フラップの先端部が他の屈折フラップの屈折部に当接することで互いに係合して蓋体５の開放を阻止するように構成してもよい。かかる開放阻止機構によれば、図５（ｃ）において、第１屈折フラップ８は第２屈折フラップ９によって上方への移動を阻止されつつ箱本体１の前側板２ａと被支持板７との間に挟持され、第２屈折フラップ９が被支持板７から分離することなく蓋体５を引き上げる力を制止し、これにより蓋体５の開放が阻止される。そして、この状態から無理な力を加えて蓋体５を引き上げると、蓋体５に大きな力が掛かるようになり、蓋垂下片４および被支持板７の係合が解除されることなく蓋体５が引き裂かれて痕跡が残るので、改竄の事実を確実に知ることができる。
【００８０】
尚、第１実施形態の紙製包装箱においては、このようにミシン目１０を切断せず、または設けない場合は、切断線２０を切断した後、収容箱として再利用することができるようになる。即ち、切断線２０の切断により、上部および下部箱本体１ａ，１ｂが分離され、蓋体５を引き上げる力に抗して該蓋体５を押し戻す力が消滅する。したがって、図７（ａ）に示すように、第１屈折フラップ８と第２屈折フラップ９とが係合した状態から蓋体５を引き上げると、図７（ｂ）に示すように、第１屈折フラップ８が第２屈折フラップ９と被支持板７の間から摺り抜けて蓋体５が開放され、該蓋体５は、上部箱本体１ａを伴って第１折曲線１９（後構成板１２ｂの上縁）をピボットとして引き上げ可能となる（図４参照）。
【００８１】
そして、この開放状態から、蓋体５を閉塞するべく折曲線１９をピボットとして押し下げると、各屈折フラップ８，９が互いに接近する方向に付勢されて面接触する。さらに、各屈折フラップ８，９の弾性力に抗して蓋体５を下方に押し下げ、第１屈折フラップ８の先端部８ａが第２屈折フラップ９の先端部９ａを超えると、図７（ｃ）に示すように、各屈折フラップ８，９が復元してそれぞれの先端部８ａ，９ａが被支持板７および前側板２ａに当接し、これにより蓋体５により開口６が閉塞される。
【００８２】
また、第１実施形態においては、蓋体５を、後側板２ｂの上縁に形成された折曲線１９に沿って折り曲げ自在に設け、該折曲線１９の両端を結ぶように箱本体１に切断線２０を形成したが、本発明はこれに限定されず、前記後側板２ｂの上下方向中間部に底板１６（底面）と略平行に折曲線（図示せず）が形成されると共に該折曲線の両端を結ぶように箱本体１に切断線２０が連続して形成され、前記折曲線および切断線２０によって箱本体１が上部箱本体１ａおよび下部箱本体１ｂとに区画され、該切断線２０の切断により、前記上部箱本体１ａが下部箱本体１ｂに対して前記折曲線をピボットとして前方から開封されるように構成してもよい。かかる構成によれば、後側板２ｂに形成された折曲線の両端を結ぶ切断線２０の切断により箱本体１が該折曲線をピボットとして折り曲げ自在となり、蓋体５で開口６を閉塞した状態で紙製包装箱を開封することができるので、紙製包装箱の開封操作がより簡単となると共に、不正に開封された場合には、その事実をより確実に知ることができる。また、蓋垂下片４および被支持板７を係脱させることなく収容箱として再利用することができるようになる。
【００８３】
また、この場合、上部箱本体１ａが、箱本体１の内部に嵌合支持された角筒体１１の上部に外嵌し、角筒体１１の後構成板１２ｂが後側板２ｂの上縁部の高さまで延長され、折曲線１９と同じ高さの位置に第２折曲線を有する形とすることにより、箱体本体１が折曲線をピボットとして折り曲げられる際、角筒体１１の後構成板１２ｂも第２折曲線をピボットとして折り曲げられることとなる。
【００８４】
また、第１実施形態においては、図６に示すように、蓋体５および箱本体１の材料となる打抜片（シート材）１００と角筒体１１の材料となる打抜片（シート材）１０１とを別体に形成したが、即ち、蓋体５および箱本体１を１枚の打抜片１００により一体的に形成すると共に、前記角筒体１１を１枚の打抜片１０１により一体的に形成したが、本発明はこれに限定されず、例えば、図８に示すように、打抜片１００の後側板２ｂと打抜片１０１の後構成板１２ｂとを連設して両者を一体的に形成する、即ち、蓋体５、箱本体１、および角筒体１１とを１枚の打抜片（シート材）により一体的に形成することも可能である。
【００８５】
また、第１実施形態においては、箱本体１の内部に嵌合支持される角筒体１１を設け、この角筒体１１の前構成板１２ａを被支持板７として用いるようにしているが、本発明はこれに限定されず、角筒体１１を無くす代わりに、少なくとも前側板２ａとの間で第１屈折フラップ８を挟持し得る大きさに形成された被支持板７を別途設けるようにしてもよい。例えば、図９に示すように、蓋体５、箱本体１、および被支持板７を１枚の打抜片（シート材）により一体的に形成することも可能である。この例を具体的に説明すると、被支持板７は、前側板２ａと同一幅寸法で且つ前側板２ａの約半分の高さ寸法の大きさに形成され、その両側縁に糊代部５７，５８が連設され、一方の糊代部５７が前側板２ａの側縁に連設された糊代部５０に連設されることにより、蓋体５、箱本体１、および被支持板７は一体化される。そして、組立時において、一方の糊代部５７が糊代部５０と接着剤で接着され（但し、両者は繋がっているので接着することは必須ではない）、他方の糊代部５８が右側板３ｂと接着剤で接着され、これにより、被支持板７は、前側板２ａに近接して沿わせるようにケース本体内で強固に支持されるものである。
【００８６】
＜第２実施形態＞
以下、本発明の第２実施形態に係る紙製包装箱（改竄防止包装ケース）について図面を参照しながら説明する。図１０に示すように、該紙製包装箱は、前後一対の側板２ａ´，２ｂ´および左右一対の側板３ａ´，３ｂ´を有して上方に開口６´を形成する有底四角筒状の箱本体（ケース本体）１´と、前側板２ａ´の内面側に差し込まれる蓋垂下片４´を備える蓋体５´と、前側板２ａ´に近接して沿わせるように箱本体１´内で支持された被支持板７´とを備えている。そして、前記蓋体５´は、前記開口６´を閉塞すべく前側板２ａ´に折り曲げられて連設されている。
【００８７】
図１０に示す紙製包装箱においては、前記蓋体５´は、後側板２ｂ´の上縁に形成された第１折曲線１９´に沿って折り曲げられて設けられている。また、蓋体５´は、開口６´と略同サイズ且つ同形状に形成されており、前記蓋垂下片４´は、蓋体５´に横線４ａ´を介して折り曲げられて連設されている。また、前記蓋垂下片４´は、蓋体５´の先端縁に長辺を沿わせた横方向に長尺な略矩形状に形成されている。尚、本実施形態の紙製包装箱には、いわゆる紙器用板紙、詳しくは、折り曲げると適度な弾性を発現すると共に、力を込めれば引き裂くことの可能な組み立て箱用板紙が用いられている。
【００８８】
本実施形態の紙製包装箱は、図１０に示すように、前後一対の構成板１２ａ´，１２ｂ´および左右一対の構成板１３ａ´，１３ｂ´を有して箱本体１´の内部に嵌合支持される角筒体１１´を備えており、前記被支持板７´は、この角筒体１１´の前構成板１２ａ´を用いて形成されている。
【００８９】
また、前記箱本体１´は、各側板２ａ´，２ｂ´；３ａ´，３ｂ´の下縁にそれぞれ折り曲げられて連設された底板形成片１４ａ´，１４ｂ´；１５ａ´，１５ｂ´を備えており、図１０に示すように各底板形成片１４ａ´，１４ｂ´；１５ａ´，１５ｂ´が互いに組み合うことで底板１６´が形成されている。詳しくは、各底板形成片１４ａ´，１４ｂ´は、それぞれ互いに係合する際に用いる係合部５２´，５３´と、それぞれ底板形成片１５ｂ´，１５ａ´に接着される際に用いる接着部５４´，５５´（図１０においては図示せず）とを備えている。また、各係合部５２´，５３´の下端には、それぞれ折り目１４ｃ´，１４ｄ´が形成されている。そして、底板形成片１４ａ´と底板形成片１５ｂ´、および、底板形成片１４ｂ´と底板形成片１５ａ´は、後述するように、それぞれ接着部５４´，５５´によって接着されて一体化されており、各底板形成片１４ａ´，１４ｂ´；１５ａ´，１５ｂ´は、底板形成片１４ａ´，１４ｂ´の各係合部５２´，５３´同士が折り目１４ｃ´，１４ｄ´に沿って箱内側に折り込まれて交差することで互いに組み合わされている。
【００９０】
また、前記角筒体１１´の前構成板１２ａ´の下縁に底片１７´が角筒体１１´の内側に折り曲げられて連設され、該底片１７´を介して紙製包装箱内に収容される被包装物により箱本体１´の底板１６´が押圧されるように構成されている。このように、前記底片１７´を介して箱本体１´の底板１６´が被包装物により押圧されることで、各底板形成片１４ａ´，１４ｂ´；１５ａ´，１５ｂ´が互いに組み合う際に生じる箱本体１´内への浮き上がりが効果的に抑えられ、箱本体１´の内容積が広く確保されている。尚、底片１７´は、下底を角筒体１１´の前構成板１２ａ´の下縁に沿わせた台形状に形成されている。
【００９１】
本実施形態の紙製包装箱においては、前側板２ａ´の上下方向中間部に底板１６´（底面）と略平行に折曲線２１が形成されると共に該折曲線２１の両端を結ぶように箱本体１´に切断線２０´が連続して形成され、前記折曲線２１および切断線２０´によって箱本体１´が上部箱本体１ａ´および下部箱本体１ｂ´とに区画されている。そして、前記切断線２０´が切断されることで前記上部箱本体１ａ´が下部箱本体１ｂ´に対して前記折曲線２１をピボットとして後方から開封されるように構成されている。また、箱本体１´の各側板３ａ´，３ｂ´の上縁には、左右一対のサイドフラップ１８ａ´，１８ｂ´がそれぞれ箱本体１´の内側に折り曲げられて連設されている。
【００９２】
尚、図１０では、上部箱本体１ａ´が折曲線２１をピボットとして後方から開封された状態、即ち、蓋体５´で開口６´を閉塞した状態で紙製包装箱が開封された状態を示している。また、図１０に示すように、上部箱本体１ａ´は、箱本体１´の内部に嵌合支持された角筒体１１´の上端部を外嵌するように構成されている。
【００９３】
本実施形態の紙製包装箱においては、図１０に示すように、蓋垂下片４´および被支持板７´（前構成板１２ａ´）には、それぞれ第１屈折フラップ８´および第２屈折フラップ９´が内側上方および外側下方に屈折して設けられている。詳しくは、第１および第２屈折フラップ８´，９´は、蓋垂下片４´の先端縁および被支持板７´の上縁にそれぞれ直線状の屈折部８ｂ´および屈折部９ｂ´を介して連設されると共に各屈折部８ｂ´，９ｂ´に沿って弾性的に屈折している。また、前記第１および第２屈折フラップ８´，９´は、それぞれ蓋垂下片４´の先端縁および被支持片７´の上縁に連設されると共に該先端縁および上縁に長辺を沿わせた横方向に長尺な略矩形状に形成されている。そして、第１屈折フラップ８´の幅は、第２屈折フラップ９´の幅より大に形成されている。
【００９４】
第１屈折フラップ８´の先端部８ａ´が第２屈折フラップ９´の屈折部９ｂ´に当接することで、第１および第２屈折フラップ８´，９´は互いに係合するようにされており、しかも、前記第２屈折フラップ９´の屈折部９ｂ´には、前記第１屈折フラップ８´の先端部８ａ´の圧接により切断され得るミシン目（易切断部）１０´（図１０においては図示せず。）が形成されている。尚、該蓋体５´の開放機構の詳細については、第１実施形態において図５（ａ）〜図５（ｃ）を参照して説明したとおりであるので、ここでは説明を省略する。
【００９５】
以下、本実施形態の紙製包装箱の製造方法について説明する。該紙製包装箱の製造方法は、まず、図１１に示すような、罫線３０´を介して連設された前後一対の側板２ａ´，２ｂ´および左右一対の側板３ａ´，３ｂ´と、前側板２ａ´の左方縁に連設された糊代部５０´と、各側板３ａ´，３ｂ´の上縁にそれぞれ連設されたサイドフラップ１８ａ´，１８ｂ´と、各側板２ａ´，２ｂ´；３ａ´，３ｂ´の下縁にそれぞれ連設された底板形成片１４ａ´，１４ｂ´；１５ａ´，１５ｂ´と、後側板２ｂ´の上縁に折曲線１９´を介して連設された蓋体５´と、該蓋体５´の先端縁に横線４ａ´を介して連設された蓋垂下片４´と、該蓋垂下片４´の先端縁に第１屈折部８ｂ´を介して連設された第１屈折フラップ８´とを備える紙製の打抜片１００´を形成する。ここで、各底板形成片１４ａ´，１４ｂ´において、各係合部５２´，５３´の下端にそれぞれ折り目１４ｃ´，１４ｄ´を形成すると共に各接着部５４´，５５´の下端にそれぞれ折り目１４ｅ´，１４ｆ´を形成する。ここで、第１屈折フラップ８´の屈折部８ｂ´にミシン目１０´を形成する。また、前側板２ａ´においては、その上縁と略平行に、左右一対の側板３ａ´，３ｂ´においては、第２折曲線２１の両端に向けて上方に傾斜させて切断線２０´を連続して形成する。さらに、前記糊代部５０´における折曲線２１の延長部分に切欠き５０ａ´を形成する。
【００９６】
また、罫線３０ａ´を介して連設された前後および左右一対の構成板１２ａ´，１２ｂ´；１３ａ´，１３ｂ´と、右面板１３ｂ´の後方縁に連設された糊代部５１´と、前構成板１２ａ´の下縁に連設された底片１７´と、前構成板１２ａ´の上縁に第２屈折フラップ９´の屈折部９ｂ´を介して連設された第２屈折フラップ９´とを備えた紙製の打抜片１０１´を形成する。ここで、第２屈折部９ｂ´にミシン目１０´を形成する。
【００９７】
その後、打抜片１００´については、各側板２ａ´，３ｂ´；２ｂ´，３ａ´を各罫線３０´に沿って筒状に折り曲げ、糊代部５０´に接着剤を用いて前側板２ａ´を左側板３ａ´の前端部に接着すると共に、接着部５４´，５５´に接着剤を用いて、底板形成片１４ａ´と底板形成片１５ｂ´、および、底板形成片１４ｂ´と底板形成片１５ａ´を、それぞれ底板形成片１４ａ´，１４ｂ´が箱外側に位置するように接着して一体化する。続いて、各罫線３０´を介して各側板２ａ´，３ｂ´；２ｂ´，３ａ´を互いに略直角状になるように折り曲げ、各底板形成片１４ａ´，１５ｂ´；１４ｂ´，１５ａ´を、それぞれ側板２ａ´，３ｂ´；２ｂ´，３ａ´に対して略直角状になるように折り曲げながら折り目１４ｅ´，１４ｆ´をならしつつ、さらに各折り目１４ｃ´，１４ｄ´を箱内側に折り込みながら底板形成片１４ａ´，１４ｂ´の各係合部５２´，５３´同士を交差させ、最後に各折り目１４ｃ´，１４ｄ´をならしつつ、各底板形成片１４ａ´，１５ｂ´；１４ｂ´，１５ａ´を互いに組み合わせて底板１６´（図１０参照）を形成すると、箱本体１´が完成する。
【００９８】
一方、打抜片１０１´については、各構成板１２ａ´，１３ｂ´；１２ｂ´，１３ａ´同士が略直角状になるように各罫線３０ａ´に沿って折り曲げ、糊代部５１´に接着剤を用いて右構成板１３ｂ´を後構成板１２ｂ´の右端部に接着すると、角筒体１１´が完成する。
【００９９】
そして、角筒体１１’の底片１７’を内側に折り曲げ、かつ、第２屈折フラップ９’を第２屈折フラップの屈折部９ｂ’で外側下方に折り曲げた状態で、角筒体１１’を箱本体１’に嵌め込み、各サイドフラップ１８ａ’、１８ｂ’および蓋体５’を箱体の内側に折り曲げ、第１屈折フラップ８’を第１屈折フラップの屈折部８ｂ’で内側上方に折り曲げた状態で、横線４ａ’で蓋垂下片４’を箱体内側に折り曲げ、第１屈折フラップ８’を前側板２ａ’と第２屈折フラップ９’との間に挿入することで、本実施形態の紙製包装箱が完成する。
【０１００】
以上説明したように、本実施形態の紙製包装箱によれば、第１屈折フラップ８´の先端部８ａ´が第２屈折フラップ９´の屈折部９ｂ´に当接し、第１および第２屈折フラップ８´，９´が係合することで蓋体５´の開放が阻止されており、しかも、第１屈折フラップ８´の先端部８ａ´の圧接により切断され得るように第２屈折フラップ９´の屈折部９ｂ´にミシン目（易切断部）１０´が形成されているので、被包装物を改竄するべく蓋体５´を無理に開放しようとすると、第１屈折フラップ８´の先端部８ａ´が第２屈折フラップ９´の屈折部９ｂ´に圧接して該第２屈折フラップ９´がミシン目１０´にて切断される。また、第１屈折フラップ８´が蓋垂下片４´の内側に設けられているので、前側板２ａ´と蓋垂下片４´との間の隙間に刃物を挿入して第１屈折フラップ８´を切断して開封することが不可能となる。
【０１０１】
また、前側板２ａ´に形成された折曲線２１の両端を結ぶ切断線２０´の切断により箱本体１´が該折曲線２１をピボットとして後方から開封され、蓋体５´で開口６´を閉塞した状態で紙製包装箱を開封することができるので、紙製包装箱の開封操作がより簡単となると共に、不正に開封された場合には、その事実をより確実に知ることができる。また、蓋垂下片４´および被支持板７´を係脱させることなく収容箱として再利用することができるようになる。
【０１０２】
さらに、上部箱本体１ａ´は、箱本体１´の内部に嵌合支持された角筒体１１´の上端部に外嵌され、折曲線２１をピボットとして後方から開封されるように構成されているので、上部箱本体１ａ´が角筒体１１´に案内されるようになり、収容箱として再利用する場合に紙製包装箱の開閉操作が安定化されるようになる。
【０１０３】
尚、本発明は上述した第２実施形態に限定されず、本発明の技術的思想の範囲内で種々の形態の実施が可能である。
【０１０４】
例えば、第２実施形態においては、前側板２ａ´の上下方向中間部に底板１６´（底面）と略平行に折曲線２１を形成すると共に該折曲線２１の両端を結ぶように箱本体１´に切断線２０´を連続して形成したが、本発明はこれに限定されず、前記前側板２ａ´の上縁の両端を結ぶように箱本体１´に切断線２０´が連続して形成されていてもよい。
【０１０５】
また、第２実施形態においては、図１１に示すように、蓋体５´および箱本体１´の材料となる打抜片（シート材）１００´と角筒体１１´の材料となる打抜片（シート材）１０１´とを別体に形成したが、即ち、蓋体５´および箱本体１´を１枚の打抜片１００´により一体的に形成すると共に、前記角筒体１１´を１枚の打抜片１０１´により一体的に形成したが、本発明はこれに限定されない。
【０１０６】
また、図１２に示すように、切断線２０´に略平行に後側板２ｂ´に切断線２０ａ´を形成すると共に該切断線２０´，２０ａ´を上下方向に結ぶ切欠線２０ｂ´が形成されていてもよい。これによれば、各切断線２０´，２０ａ´および切欠線２０ｂ´により区画され形成される長尺の領域の一端部を指で摘んで剥離することで切断線２０´，２０ａ´が容易に切断され、紙製包装箱の開封操作がより簡単に行えるようになる。
【０１０７】
また、第２実施形態においては、箱本体１´の内部に嵌合支持される角筒体１１´を設け、この角筒体１１´の前構成板１２ａ´を被支持板７´として用いるようにしているが、本発明はこれに限定されず、角筒体１１´を無くす代わりに、少なくとも前側板２ａ´との間で第１屈折フラップ８´を挟持し得る大きさに形成された被支持板７´を別途設けるようにしてもよい。例えば、図１３に示すように、蓋体５´、箱本体１´、および被支持板７´を１枚の打抜片（シート材）により一体的に形成することも可能である。この例を具体的に説明すると、被支持板７´は、前側板２ａ´と同一幅寸法で且つ前側板２ａ´の約半分の高さ寸法の大きさに形成され、その両側縁に糊代部５７´，５８´が連設され、一方の糊代部５７´が前側板２ａ´の側縁に連設された糊代部５０´に連設されることにより、蓋体５´、箱本体１´、および被支持板７´は一体化される。そして、組立時において、一方の糊代部５７´が糊代部５０´と接着剤で接着され（但し、両者は繋がっているので接着することは必須ではない）、他方の糊代部５８´が右側板３ａ´と接着剤で接着され、これにより、被支持板７´は、前側板２ａ´に近接して沿わせるようにケース本体内で強固に支持されるものである。
【０１０８】
＜第３実施形態＞
以下、本発明の第３実施形態に係る紙製包装箱（改竄防止包装ケース）について図面を参照しながら説明する。図１４に示すように、該紙製包装箱は、前後一対の側板２ａ´´，２ｂ´´および左右一対の側板３ａ´´，３ｂ´´を有して上方に開口６´´を形成する有底四角筒状の箱本体（ケース本体）１´´と、前側板２ａ´´の内面側に差し込まれる蓋垂下片４´´を備える蓋体５´´と、前側板２ａ´´に近接して沿わせるように箱本体１´´内で支持された被支持板７´´とを備えている。そして、前記蓋体５´´は、前記開口６´´を閉塞すべく後側板２ｂ´´に折り曲げられて連設されている。
【０１０９】
図１４に示す紙製包装箱においては、前記蓋体５´´は、後側板２ｂ´´の上縁に形成された折曲線１９´´に沿って折り曲げられる。また、蓋体５´´は、開口６´´と略同サイズ且つ同形状に形成されると共に折曲線１９´´で折り曲げられており、前記蓋垂下片４´´は、蓋体５´´に横線４ａ´´で折り曲げられて連設されている。また、前記蓋垂下片４´´は、蓋体本体５´´の先端縁に長辺を沿わせた横方向に長尺な略矩形状に形成されている。尚、本実施形態の紙製包装箱には、いわゆる紙器用板紙、詳しくは、折り曲げると適度な弾性を発現すると共に、力を込めれば引き裂くことの可能な組み立て箱用板紙が用いられている。
【０１１０】
また、本実施形態の紙製包装箱においては、図１４に示すように、前記箱本体１´´の外周を一周するように、換言すれば、前後側板１２ａ´´，１２ｂ´´および左右側板１３ａ´´，１３ｂ´´の全幅に亘って連続して第１切断線２２が形成されると共に該第１切断線２２によって該箱本体１´´が上部箱本体１ａ´´と下部箱本体１ｂ´´とに区画されている。そして、各箱本体１ａ´´，１ｂ´´をそれぞれ把持して捩ることで前記第１切断線２２が切断されて上部および下部箱本体１ａ´´，１ｂ´´が互いに分離されて開封されるように構成されている。また、箱本体１´´の各側板３ａ´´，３ｂ´´の上縁には、左右一対のサイドフラップ１８ａ´´，１８ｂ´´がそれぞれ内側に折り曲げられて連設されている。
【０１１１】
本実施形態の紙製包装箱は、図１４に示すように、前後一対の構成板１２ａ´´，１２ｂ´´および左右一対の構成板１３ａ´´，１３ｂ´´を有して箱本体１´´の内部に嵌合支持される角筒体１１´´を備えており、前記被支持板７´´は、この角筒体１１´´の前構成板１２ａ´´を用いて形成されている。しかも、角筒体１１´´には、その上下中間部を一周するように、換言すれば、前後構成板１２ａ´´，１２ｂ´´および左右構成板１３ａ´´，１３ｂ´´の全幅に亘って連続して第２切断線２３が形成され、前記第２切断線２３は、各箱本体１ａ´´，１ｂ´´をそれぞれ把持して捩ることで第１切断線２２が切断されるに伴い切断され得るように構成されている。詳しくは、該第２切断線２３は、角筒体１１´´の上下方向中間部に箱本体１´´の第１切断線２２と略平行に形成されている。
【０１１２】
また、前記箱本体１´´は、各側板２ａ´´，２ｂ´´；３ａ´´，３ｂ´´の下縁にそれぞれ折り曲げられて連設された底板形成片１４ａ´´，１４ｂ´´；１５ａ´´，１５ｂ´´を備えており、図１４に示すように各底板形成片１４ａ´´，１４ｂ´´；１５ａ´´，１５ｂ´´が互いに組み合うことで底板１６´´が形成されている。詳しくは、各底板形成片１４ａ´´，１４ｂ´´は、それぞれ互いに係合する際に用いる係合部５２´´，５３´´と、それぞれ底板形成片１５ｂ´´，１５ａ´´に接着される際に用いる接着部５４´´，５５´´（図１４においては図示せず）とを備えている。また、各係合部５２´´，５３´´の下端には、それぞれ折り目１４ｃ´´，１４ｄ´´が形成されている。そして、底板形成片１４ａ´´と底板形成片１５ａ´´、および、底板形成片１４ｂ´´と底板形成片１５ｂ´´は、後述するように、それぞれ接着部５４´´，５５´´で接着されて一体化されており、各底板形成片１４ａ´´，１４ｂ´´；１５ａ´´，１５ｂ´´は、底板形成片１４ａ´´，１４ｂ´´の各係合部５２´´，５３´´同士が折り目１４ｃ´´，１４ｄ´´に沿って箱内側に折り込まれて交差することで、互いに組み合わされている。
【０１１３】
また、前記角筒体１１´´の構成板１２ａ´´の下縁に底片１７´´が角筒体１１´´の内側に折り曲げられて連設され、該底片１７´´を介して紙製包装箱内に収容される被包装物により箱本体１´´の底板１６´´が押圧されるように構成されている。このように、前記底片１７´´を介して箱本体１´´の底板１６´´が被包装物により押圧されることで、各底板形成片１４ａ´´，１４ｂ´´；１５ａ´´，１５ｂ´´が互いに組み合う際に生じる箱本体１´´内への浮き上がりが効果的に抑えられ、箱本体１´´の内容積が広く確保されている。尚、底片１７´´は、下底を角筒体１１´´の前構成板１２ａ´´の下縁に沿わせた台形状に形成されている。
【０１１４】
尚、図１４では、各サイドフラップ１８ａ´´，１８ｂ´´と蓋体５´´とがそれぞれ箱外側に折り返され、角筒体１１´´が箱本体１´´の内部に嵌合支持されつつある状態を示している。
【０１１５】
本実施形態の紙製包装箱においては、図１４に示すように、前記蓋垂下片４´´および被支持板７´´（前構成板１２ａ´´）には、それぞれ第１屈折フラップ８´´および第２屈折フラップ９´´が内側上方および外側下方に屈折して設けられている。詳しくは、第１および第２屈折フラップ８´´，９´´は、蓋垂下片４´´の先端縁および被支持板７´´の上縁にそれぞれ直線状の屈折部８ｂ´´および屈折部９ｂ´´を介して連設されると共に各屈折部８ｂ´´，９ｂ´´に沿って弾性的に屈折している。また、前記第１および第２屈折フラップ８´´，９´´は、それぞれ蓋垂下片４´´の先端縁および被支持片７´´の上縁に連設されると共に該先端縁および上縁に長辺を沿わせた横方向に長尺な略矩形状に形成されている。そして、第１屈折フラップ８´´の幅は、第２屈折フラップ９´´の幅より大に形成されている。
【０１１６】
第１屈折フラップ８´´の先端部８ａ´´が第２屈折フラップ９´´の屈折部９ｂ´´に当接することで、第１および第２屈折フラップ８´´，９´´は互いに係合するようにされており、しかも、前記第２屈折フラップ９´´の屈折部９ｂ´´には、前記第１屈折フラップ８´´の先端部８ａ´´の圧接により切断され得るミシン目（易切断部）１０´´（図１４においては図示せず。）が形成されている。尚、該蓋体５´´の開放機構の詳細については、第１実施形態において図５（ａ）〜図５（ｃ）を参照して説明したとおりであるので、ここでは説明を省略する。
【０１１７】
以下、本実施形態の紙製包装箱の製造方法について説明する。該紙製包装箱の製造方法は、まず、図１５に示すような、罫線３０´´を介して連設された前後一対の側板２ａ´´，２ｂ´´および左右一対の側板３ａ´´，３ｂ´´と、後側板２ｂ´´の右方縁に連設された糊代部５０´´と、各側板３ａ´´，３ｂ´´の上縁にそれぞれ連設されたサイドフラップ１８ａ´´，１８ｂ´´と、各側板２ａ´´，２ｂ´´；３ａ´´，３ｂ´´の下縁にそれぞれ連設された底板形成片１４ａ´´，１４ｂ´´；１５ａ´´，１５ｂ´´と、前側板２ａ´´の上縁に折曲線１９´´を介して連設された蓋体本体５ａ´´と、該蓋体本体５ａ´´の先端縁に横線４ａ´´を介して連設された蓋垂下片４´´と、該蓋垂下片４´´の先端縁に第１屈折部８ｂ´´を介して連設された第１屈折フラップ８´´とを備える紙製の打抜片１００´´を形成する。ここで、各底板形成片１４ａ´´，１４ｂ´´において、各係合部５２´´，５３´´の下端にそれぞれ折り目１４ｃ´´，１４ｄ´´を形成すると共に各接着部５４´´，５５´´の下端にそれぞれ折り目１４ｅ´´，１４ｆ´´を形成する。ここで、第１屈折フラップ８´´の屈折部８ｂ´´にミシン目１０´´を形成する。また、前後一対の側板２ａ´´，２ｂ´´および左右一対の側板３ａ´´，３ｂ´´の全幅に亘り各側板２ａ´´，２ｂ´´；３ａ´´，３ｂ´´の上縁と略平行に切断線２２を形成する。さらに、前記糊代部５０´´における第１切断線２２の延長部分に切欠き５０ａ´´を形成する。
【０１１８】
また、罫線３０ａ´´を介して連設された前後および左右構成板１２ａ´´，１２ｂ´´；１３ａ´´，１３ｂ´´と、左面板１３ａ´´の後方縁に連設された糊代部５１´´と、前構成板１２ａ´´の下縁に連設された底片１７´´と、前構成板１２ａ´´の上縁に第２屈折フラップ９´´の屈折部９ｂ´´を介して連設された第２屈折フラップ９´´とを備えた紙製の打抜片１０１´´を形成する。ここで、第２屈折部９ｂ´´にミシン目１０´´を形成し、前後および左右構成板１２ａ´´，１２ｂ´´；１３ａ´´，１３ｂ´´の全幅に亘り各構成板１２ａ´´，１２ｂ´´；１３ａ´´，１３ｂ´´の上縁と略平行に第２切断線２３を形成する。さらに、前記糊代部５１´´における第２切断線２３の延長部分に切欠き５１ａ´´を形成する。
【０１１９】
その後、打抜片１００´´については、各側板２ａ´´，３ｂ´´；２ｂ´´，３ａ´´を各罫線３０´´に沿って筒状に折り曲げ、糊代部５０´´に接着剤を用いて後側板２ｂ´´を右側板３ｂ´´の後端部に接着すると共に、接着部５４´´，５５´´に接着剤を用いて、底板形成片１４ａ´´と底板形成片１５ａ´´、および、底板形成片１４ｂ´´と底板形成片１５ｂ´´を、それぞれ底板形成片１５ａ´´，１５ｂ´´が箱外側に位置するように接着して一体化する。続いて、各罫線３０´´を介して各側板２ａ´´，３ｂ´´；２ｂ´´，３ａ´´を互いに略直角状になるように折り曲げ、各底板形成片１４ａ´´，１５ａ´´；１４ｂ´´，１５ｂ´´を、それぞれ側板２ａ´´，３ａ´´；２ｂ´´，３ｂ´´に対して略直角状になるように折り曲げながら折り目１４ｅ´´，１４ｆ´´をならしつつ、さらに各折り目１４ｃ´´，１４ｄ´´を箱内側に折り込みながら底板形成片１４ａ´´，１４ｂ´´の各係合部５２´´，５３´´同士を交差させ、最後に各折り目１４ｃ´´，１４ｄ´´をならしつつ、各底板形成片１４ａ´´，１５ａ´´；１４ｂ´´，１５ｂ´´を互いに組み合わせて底板１６´´（図１４参照）を形成すると、箱本体１´´が完成する。
【０１２０】
また、打抜片１０１´´については、各構成板１２ａ´´，１３ａ´´；１２ｂ´´，１３ａ´´同士が略直角状になるように各罫線３０ａ´´に沿って折り曲げ、左構成板１３ａ´´を後構成板１２ｂ´´の左端部に糊代部５１´´を介して接着剤を用いて接着すると、角筒体１１´が完成する。
【０１２１】
そして、角筒体１１”の底片１７”を内側に折り曲げ、かつ、第２屈折フラップ９”を第２屈折フラップの屈折部９ｂ”で外側下方に折り曲げた状態で、角筒体１１”を箱本体１”に嵌め込み、各サイドフラップ１８ａ”、１８ｂ”および蓋体５”を箱体の内側に折り曲げ、第１屈折フラップ８”を第１屈折フラップの屈折部８ｂ”で内側上方に折り曲げた状態で、横線４ａ”で蓋垂下片４”を箱体内側に折り曲げ、第１屈折フラップ８”を前側板２ａ’と第２屈折フラップ９’との間に挿入することで、本実施形態の紙製包装箱が完成する。
【０１２２】
以上説明したように、本実施形態の紙製包装箱によれば、第１屈折フラップ８´´の先端部８ａ´´が第２屈折フラップ９´´の屈折部９ｂ´´に当接し、第１および第２屈折フラップ８´´，９´´が係合することで蓋体５´´の開放が阻止されており、しかも、第１屈折フラップ８´´の先端部８ａ´´の圧接により切断され得るように第２屈折フラップ９´´の屈折部９ｂ´´にミシン目１０´´が形成されているので、被包装物を改竄するべく蓋体５´´を無理に開放しようとすると、第１屈折フラップ８´´の先端部８ａ´´が第２屈折フラップ９´の屈折部９ｂ´´に圧接して該第２屈折フラップ９´´がミシン目１０´´にて切断される。また、第１屈折フラップ８´´が蓋垂下片４´´の内側に設けられているので、前側板２ａ´´と蓋垂下片４´´との間の隙間に刃物を挿入して第１屈折フラップ８´´を切断して開封することが不可能となる。
【０１２３】
また、上部および下部箱本体１ａ´´，１ｂ´´をそれぞれ把持して捩ることで第１切断線２２が切断されて上部および下部箱本体１ａ´´，１ｂ´´が互いに分離され、しかも、該第１切断線２２の切断に伴って角筒体１１´´に形成された第２切断線２３も切断されるので、紙製包装箱の開封操作がより簡単となり、しかも、不正に開封された場合には、その事実をより確実に知ることができる。
【０１２４】
尚、本発明は上述した第３実施形態に限定されず、本発明の技術的思想の範囲内で種々の形態の実施が可能である。
【０１２５】
例えば、第３実施形態においては、図１５に示すように、蓋体５´´および箱本体１´´の材料となる打抜片（シート材）１００´´と角筒体１１´´の材料となる打抜片（シート材）１０１´´とを別体に形成したが、即ち、蓋体５´´および箱本体１´´を１枚の打抜片１００´´により一体的に形成すると共に、前記角筒体１１´´を１枚の打抜片１０１´´により一体的に形成したが、本発明はこれに限定されず、例えば、図１６に示すように、打抜片１００´´の右側板３ｂ´´と打抜片１０１´´の後構成板１２ｂ´´とを連設して両者を一体的に形成する、即ち、蓋体５´´、箱本体１´´、および角筒体１１´´とを１枚の打抜片（シート材）により一体的に形成することも可能である。
【０１２６】
＜第４実施形態＞
以下、本発明の第４実施形態に係る包装ケース（改竄防止包装ケース）について図面を参照しながら説明する。図１７に示すように、該包装ケースは、前後一対の側板３２ａ，３２ｂを有して少なくとも上方に開口３６を形成するケース本体３１と、前側板３２ａの内面側に差し込まれる蓋体３５とを備えている。そして、前記蓋体３５は、前記開口３６を閉塞すべく折り曲げ可能に後側板３２ｂに連設されている。尚、図１７に示す包装ケースにおいては、前記蓋体３５は、後側板３２ｂの上縁に形成された折曲線８１に沿って折り曲げられている。また、本実施形態の包装ケースには、折り曲げると適度な弾性を発現すると共に、力を込めれば引き裂くことの可能なプラスチックシートが用いられている。
【０１２７】
本実施形態の包装ケースは、図１７に示すように、前側板３２ａに近接して沿わせるように後側板３２ｂで支持された被支持板３７をさらに備えている。
【０１２８】
また、前記ケース本体１は、後側板３２ｂの下縁に折り曲げ自在に連設された底板形成片３５ｂを備えており、該底板形成片３５ｂが、前側板３２ａの内面側に差し込まれることで底部が形成されている。
【０１２９】
本実施形態の包装ケースにおいては、図１７に示すように、ケース本体３１の外周を一周するように、即ち、前後側板３２ａ，３２ｂの全幅に亘って連続して切断線３０が形成されていると共に該切断線３０によって該ケース本体３１が上部ケース本体３１ａと下部ケース本体３１ｂとに区画されている。そして、上部ケース本体３１ａおよび下部ケース本体３１ｂをそれぞれ把持して捩るか、または、互いに離間するように引っ張ることで切断線３０が切断されて上部および下部ケース本体３１ａ，３１ｂが互いに分離されて開封されるように構成されている。
【０１３０】
また、前記蓋体３５および被支持板３７には、それぞれ第１屈折フラップ３８および第２屈折フラップ３９が内側上方および外側下方に屈折して設けられている。詳しくは、第１および第２屈折フラップ３８，３９は、蓋体３５の先端縁および被支持板３７の上縁にそれぞれ屈折部３８ｂおよび屈折部３９ｂを介して連設されると共に各屈折部３８ｂ，３９ｂに沿って弾性的に屈折している。また、前記第１および第２屈折フラップ３８，３９は、それぞれ蓋体３５の先端縁および被支持片３７の上縁に連設されると共に該先端縁および下縁に長辺を沿わせた横方向に長尺な略矩形状に形成されている。そして、第１屈折フラップ３８の幅は、第２屈折フラップ３９の幅より大に形成されている。
【０１３１】
第１屈折フラップ３８の先端部３８ａが第２屈折フラップ３９の屈折部３９ｂに当接することで、第１屈折フラップ３８と第２屈折フラップ３９とは互いに係合して蓋体３５の開放を阻止するように構成されている。尚、該蓋体３５の開放阻止機構の詳細については、第１実施形態において図５（ａ）〜図５（ｃ）を参照して説明したとおりであるので、ここでは説明を省略する。
【０１３２】
以下、本実施形態の包装ケースの製造方法について説明する。該包装ケースの製造方法は、まず、図１８に示すような、折曲線８０を介して連設された前側板３２ａおよび後側板３２ｂと、前側板３２ａの右端縁に罫線９１を介して連設された糊代部９０と、後側板３２ｂの上縁に折曲線８１を介して連設された蓋体３５と、該蓋体３５の先端に第１屈折部３８ｂを介して連設された第１屈折フラップ３８と、後側板３２ｂの下縁に折曲線８２を介して連設された底板形成片３５ｂとを備えるプラスチックシート製の打抜片１２０を形成する。ここで、前後側板３２ａ，３２ｂの全幅に亘り且つ各側板３２ａ，３２ｂの上縁と略平行に切断線３０を形成する。さらに、前記糊代部９０における切断線３０の延長部分に切欠き９０ａを形成する。そして、上縁に第２屈折部３９ｂで第２屈折フラップ３９が連設され、左右両側および下部に溶着片３７ａ，３７ｂを有する矩形状の被支持板３７を別途形成し、左右両側および下部の溶着片３７ａ，３７ｂで打抜片１２０の前側板３２ａおよび後側板３２ｂの上部に熱溶着する。
【０１３３】
その後、前側板３２ａおよび後側板３２ｂを折曲線８０に沿ってケース内側に折り込み、後側板３２ｂを前側板３２ａの右端部に糊代部９０を介して接着剤を用いて接着すると共に、底板形成片３５ｂを、前側板３２ａの内面側に差し入れて接着剤を用いて接着し、蓋体３５を折曲線で折り曲げて第１屈折フラップ３８を前側板３２ａと第２屈折フラップ３９との間に挿入することにより、本実施形態の包装ケースが完成する。
【０１３４】
以上説明したように、本実施形態の包装ケースによれば、第１および第２屈折フラップ３８，３９が係合することで蓋体３５の開放が阻止されているので、被包装物を改竄するべく蓋体３５を無理に開放しようとすると、包装ケースの一部に大きな力が掛かるようになり、包装ケースの一部に引き裂きの痕跡が残るようになる。また、第１屈折フラップ３８が蓋体３５の内側に設けられているので、前側板３２ａと蓋体３５との間の隙間に刃物を挿入して第１屈折フラップ３８を切断して開封することが不可能となる。
【０１３５】
また、上部および下部ケース本体３１ａ，３１ｂをそれぞれ把持して捩ることで切断線３０が切断されて上部および下部ケース本体３１ａ，３１ｂが互いに分離されるので、包装ケースの開封操作がより簡単となり、しかも、不正に開封された場合には、その事実をより確実に知ることができる。
【０１３６】
＜第５実施形態＞
以下、本発明の第５実施形態に係る紙製収容箱（収容ケース）について図面を参照しながら説明する。図１９に示すように、該紙製収容箱は、前後一対の側板４２ａ、４２ｂを有して少なくとも上方に開口４６を形成する箱本体（ケース本体）４１ｂと、前側板４２ａの外面側に沿わせる蓋垂下片４２ｃを備える蓋体４１ａとを備えている。該蓋体４１ａは、前記開口４６を開閉すべく折り曲げられて後側板４２ｂに連設されている。詳しくは、該紙製収容箱は、前後一対の側板４２ａ，４２ｂおよび左右一対の側板４３ａ，４３ｂを有して上方に開口４６を形成する有底四角筒状の箱本体（ケース本体）４１ｂと、前記箱本体４１ｂの上端部に外嵌されるように折り曲げられて後側板４２ｂに連設されてなる蓋体４１ａとを備えている。該蓋体４１ａは、蓋垂下片４２ｃおよび左右一対の側片４３ｃ，４３ｄを備えている。尚、図１９に示す紙製収容箱においては、前記蓋体４１ａは、後側板４２ｂの上縁に形成された折曲線５９を介して設けられている。また、前記蓋垂下片４２ｃは、蓋体４１ａの先端縁に長辺を沿わせた横方向に長尺な略矩形状に形成されている。さらに、本実施形態の紙製収容箱には、いわゆる紙器用板紙、詳しくは、折り曲げると適度な弾性を発現する組み立て箱用板紙が用いられている。
【０１３７】
また、前記蓋垂下片４２ｃおよび前側板４２ａには、それぞれ第１屈折フラップ４８および第２屈折フラップ４９が内側上方および外側下方に弾性的に屈折して設けられている。詳しくは、第１および第２屈折フラップ４８，４９は、蓋垂下片４２ｃの先端縁および前側板４２ａの上縁にそれぞれ直線状の屈折部４８ｂおよび屈折部４９ｂを介して連設され、該屈折部４８ｂおよび屈折部４９ｂに沿って弾性的に屈折している。また、前記第１および第２屈折フラップ４８，４９は、それぞれ蓋垂下片４２ｃの先端縁および前側板４２ａの上縁に連設されると共に該先端縁および下縁に長辺を沿わせた横方向に長尺な略矩形状に形成されている。そして、第１屈折フラップ４８の幅は、第２屈折フラップ４９の幅より大に形成されている。
【０１３８】
そして、第１屈折フラップ４８の上面が第２屈折フラップ４９の下面に接触することで、第１屈折フラップ４８および第２屈折フラップ４９は互いに係合するように構成され、前記蓋体４１ａを押し下げると蓋垂下片４２ｃが前側板４２ａに係合して閉塞状態となる。一方、前記蓋体４１ａの引き上げに伴って前記係合が解除されるように構成されている。
【０１３９】
詳しくは、前記蓋体４１ａを折曲線５９に沿って箱内側に折り込むと共に蓋垂下片４２ｃを前側板４２ａの外面側に沿わせると、各屈折フラップ４８，４９は弾性的に屈折しているので、その弾性力により互いに接近する方向に付勢されて面接触する。さらに、各屈折フラップ４８，４９の弾性力に抗して蓋体４１ａを下方に押し下げ、第１屈折フラップ４８の先端部４８ａが第２屈折フラップ４９の先端部４９ａを超えると、図２０（ａ）に示すように、各屈折フラップ４８，４９が復元してそれぞれの先端部４８ａ，４９ａが前側板４２ａおよび蓋垂下片４２ｃに当接し、これにより蓋体４１ａにより開口４６が閉塞される。尚、本実施形態において、このように蓋体４１ａによって開口４６が閉塞されるためには、次の条件１を満たす必要がある。
（条件１）Ｌ1＞Ｌ3＋Ｌ4＋Ｌ5
ここで、Ｌ1：蓋垂下片４２ｃの幅（ｃｍ）、Ｌ3：第１屈折フラップ４８の幅（ｃｍ）、Ｌ4：第２屈折フラップ４９の幅（ｃｍ）、Ｌ5：蓋体４１ａで開口４６を閉塞したときの蓋体４１ａと前側板４２ａの上縁との距離（ｃｍ）
即ち、条件１を満たすことにより、蓋体４１ａを最も下まで押し下げたときに第１および第２屈折フラップ４８，４９の各先端部４８ａ，４９ａの間に隙間が生じ（隙間の幅＝Ｌ1―（Ｌ3＋Ｌ4＋Ｌ5）＞０）、係合が可能となる。
【０１４０】
かかる閉塞状態から、蓋体４１ａを引き上げると、図２０（ｂ）に示すように、第１屈折フラップ４８の上面が第２屈折フラップ４９の下面に当接し、蓋垂下片４２ｃおよび前側板４２ａが、各屈折フラップ４８，４９を介して互いに係合する。尚、本実施形態において、このように各屈折フラップ４８，４９が互いに係合するためには、次の条件２を満たす必要がある。
（条件２）Ｘ＜Ｙ＋Ｌ3＋Ｌ4
ここに、Ｘ：蓋垂下片４２ｃの下端（第１屈折フラップの屈折部４８ｂ）と折曲線５９との距離（ｃｍ）、Ｙ：前側板４２ａの上端（第２屈折フラップの屈折部４９ｂ）と折曲線５９との距離（ｃｍ）、Ｌ3 およびＬ4 は前記と同一意味を有する。
即ち、条件２を満たすことにより、蓋体４１ａの開放操作に伴って第１屈折フラップ４８の上面が第２屈折フラップ４９の下面に当接するようになる。
【０１４１】
さらに、このように蓋垂下片４２ｃと前側板４２ａとが互いに係合した状態から蓋体４１ａを引き上げると、図２０（ｃ）に示すように、第１屈折フラップ４８と第２屈折フラップ４９との係合が解除され、蓋体４１ａが開放される。尚、本実施形態において、このように蓋体４１ａが開放されるためには、次の条件３を満たす必要がある。
（条件３）Ｘ＞Ｙ＋ｍａｘ（Ｌ3，Ｌ4）
ここで、max(Ｌ3，Ｌ4)は、Ｌ3とＬ4の大きい方を示し、Ｘ，Ｙ，Ｌ3およびＬ4は前記と同一意味を有する。
即ち、条件３を満たすことにより、蓋垂下片４２ｃが前側板４２ａに係合した状態から蓋体４１ａを引き上げると、第１屈折フラップ４８は第２屈折フラップ４９によって前上方への移動を阻止されることなく第２屈折フラップ４９と前側板４２ａの係合が解除されることになる。
【０１４２】
以下、本実施形態の紙製収容箱の製造方法について説明する。該紙製収容箱の製造方法は、まず、図２１に示すような、罫線６０を介して連設された前後一対の側板４２ａ，４２ｂおよび左右一対の側板４３ａ，４３ｂと、左側板４３ａの後方縁に連設された糊代部７０と、各側板４２ａ，４２ｂ；４３ａ，４３ｂの下縁にそれぞれ連設された底板形成片７２，７４；７１，７３と、後側板４２ｂの上縁に折曲線５９を介して連設された蓋体４１ａと、該蓋体４１ａの先端縁に横線４４ａを介して連設された蓋垂下片４２ｃと、該蓋垂下片４２ｃの先端縁に第１屈折部４８ｂを介して連設された第１屈折フラップ４８と、蓋体４１ａの左右側縁に罫線６１を介して連設された左右一対の側板４３ｃ，４３ｄと、各側板４３ｃ，４３ｄの蓋垂下片４２ｃ側の端縁にそれぞれ折り曲げられて連設された糊代部６２ａ，６２ｂとを備える紙製の打抜片１１０を形成する。
【０１４３】
その後、各側板４２ａ，４３ａ；４２ｂ，４３ｂを各罫線６０に沿って筒状に折り曲げ、糊代部７０に接着剤を用いて左側板４３ａを後側板４２ｂの左端部に接着すると共に、底板形成片７１，７３に接着剤を用いて、底板形成片７１と底板形成片７２、および、底板形成片７４と底板形成片７３を、それぞれ底板形成片７２，７４が箱外側に位置するように接着して一体化する。続いて、各罫線６０で各側板４２ａ，４３ａ；４２ｂ，４３ｂを互いに略直角状になるように折り曲げ、各底板形成片７１，７２；７３，７４を、それぞれ側板４３ａ，４２ａ；４３ｂ，４２ｂに対して略直角状になるように折り曲げ、底板形成片７２，７４のいずれか一方が箱外側に位置するように重ね合わせて底板５６（図１９参照）を形成する。一方、各側板４３ｃ，４３ｄを蓋体４１ａに対して略直角になるように各罫線６１に沿って折り曲げると共に糊代部６２ａ，６２ｂを蓋垂下片４２ｃ側に折り曲げ、糊代部６２ａ，６２ｂに接着材を用いて該各側板４３ｃ，４３ｄを蓋垂下片４２ｃの左右端部に接着する。
【０１４４】
そして、図１９に示すように、蓋体４１ａを折曲線５９で折り曲げ、第２屈折フラップ４８を第２屈折部４８ｂで内側上方に屈折させる一方、第２屈折フラップ４９を第２屈折部４９ｂで外側下方に屈折させることで、本実施形態の紙製収容箱が完成する。
【０１４５】
以上説明したように、本実施形態の紙製収容箱によれば、前後および左右側板４２ａ，４２ｂ；４３ａ，４３ｂを有する有底四角筒状の箱本体４１ｂにより全体を箱状に形成し得ると共に、蓋体４１ａを押し下げて第１および第２屈折フラップ４８，４９を互いに係合させることで、蓋体４１ａにより開口４６を閉塞できる一方、蓋体４１ａを引き上げるとその係合が解除されて開口４６が開放されるので、簡単且つ確実に開閉することができる。
【０１４６】
尚、本実施形態においては、前記蓋体４１ａを箱内側に折り込み可能とする折曲線５９を後側板４２ｂの上縁に形成したが、本発明はこれに限定されず、折曲線５９は、後側板４２ｂの上下方向中間部に底板５６（底面）と略平行に形成することもできる。また、本実施形態においては、紙製収容箱は、いわゆる紙器用板紙を用いて形成したが、その他、折り曲げると適度な弾性を発現するものである限り、例えば、段ボール原紙や第４実施形態のようなプラスチックシートを用いることも可能である。
【０１４７】
尚、本発明は上述した実施形態に限定されず、本発明の技術的思想の範囲内で種々の形態の実施が可能である。
【０１４８】
例えば、第１〜第３実施形態においては、被支持板（７、７´、７´´）を、箱本体１の内部に嵌合支持される角筒体（１１、１１´、１１´´）の前構成板（１２ａ、１２ａ´、１２ａ´´）を用いて形成したが、本発明はこれに限定されず、例えば、第４実施形態のように被支持板（７、７´、７´´）は、箱本体（１、１´、１´´）の左右側板（３ａ、３ｂ、３ａ´、３ｂ´、３ａ´´、３ｂ´´）の内面に接着剤等で固着して設ける等、他の手段を用いることもできる。要は、蓋垂下片（４、４´、４´´）および被支持板（７、７´、７´´）が互いに係合した状態から蓋体（５、５´、５´´）を引き上げても、両者の係合が解除されないように被支持板（７、７´、７´´）が前側板（２ａ、２ａ´、２ａ´´）に近接して沿わせるように箱本体（１、１´、１´´）またはケース本体３１内で支持されていればよい。
【０１４９】
また、第１〜第３実施形態においては、紙製包装箱は、いわゆる紙器用板紙を用いて形成したが、その他、第１および第２屈折フラップの屈折部が弾性を有し、改竄の痕跡を残す場合には、同屈折部の少なくとも一方が易切断部を有するものであれば、例えば、軟質プラスティック、紙（ダンボール原紙）等の軟質素材、金属、硬質プラスティック等の硬質素材、またはこれらの組合せを用いることも可能である。
【０１５０】
また、第１〜第４実施形態の紙製包装箱または包装ケースに包装される被包装物としては、特に人体への悪影響が問題視される医薬品や食品、特に少量で大量の医薬品が製造可能で改竄による影響の大きい薬の原末や、開封により使用済み同様に見なされると共に契約に基づくライセンスが許諾されるソフトウエアが特に効果的であるが、その他、ベビー綿棒、避妊具等の衛生用品、開封後にも煩雑な開閉操作が必要となる洗剤や化粧品・化粧用具等のトイレタリ用品の包装用に用いることもでき、包装される物品は何ら限定されるものではない。
【図面の簡単な説明】
【０１５１】
【図１】図１は、同紙製包装箱の箱本体に角筒体が内嵌されつつある状態を示す斜視図（一部破断部あり）である。
【図２】図２は、本発明の第１実施形態に係る紙製包装箱の斜視図（一部破断部あり）である。
【図３】図３は、同紙製包装箱が封減された状態を示す斜視図である。
【図４】図４は、同紙製包装箱が開封された状態を示す斜視図である。
【図５】図５（ａ）は、同紙製包装箱の蓋体で開口を閉塞している状態を示す断面図（図３のＡ−Ａ線矢視断面図）であり、図５（ｂ）は、同紙製包装箱の蓋垂下片が被支持板に係合している状態を示す断面図であり、図５（ｃ）は、同紙製包装箱の第１屈折フラップの先端部が第２屈折フラップの屈折部に圧接して該第２屈折フラップが切断されている状態を示す断面図である。
【図６】図６は、同紙製包装箱の展開図である。
【図７】図７（ａ）は、同紙製包装箱の蓋垂下片が被支持体に係合した状態を示す断面図（図３のＡ−Ａ線矢視断面図）であり、図７（ｂ）は、同紙製包装箱の蓋垂下片の被支持板への係合が解除されている状態を示す断面図であり、図７（ｃ）は、同紙製包装箱各屈折フラップが復元してそれぞれの先端部が被支持板および前側板に当接している状態を示す断面図である。
【図８】図８は、同紙製包装箱の別の展開図である。
【図９】図９は、同紙製包装箱のさらに別の展開図である。
【図１０】図１０は、本発明の第２実施形態に係る紙製包装箱の斜視図（一部破断部あり）である。
【図１１】図１１は、同紙製包装箱の展開図である。
【図１２】図１２は、同紙製包装箱の別の展開図である。
【図１３】図１３は、同紙製包装箱のさらに別の展開図である。
【図１４】図１４は、本発明の第３実施形態に係る紙製包装箱の斜視図（一部破断部あり）である。
【図１５】図１５は、同紙製包装箱の展開図である。
【図１６】図１６は、同紙製包装箱の別の展開図である。
【図１７】図１７（ａ）は、本発明の第４実施形態に係る包装ケースの斜視図であり、図１７（ｂ）は、図１７（ａ）のＢ−Ｂ線矢視断面図である。
【図１８】図１８は、同包装ケースの展開図である。
【図１９】図１９は、本発明の第５実施形態に係る紙製収容箱の斜視図である。
【図２０】図２０（ａ）は、同紙製収容箱の蓋体が開口を閉塞している状態を示す断面図であり、図２０（ｂ）は、同紙製収容箱の蓋体が箱本体に係合している状態を示す断面図であり、図２０（ｃ）は、同紙製収容箱の蓋体の箱本体への係合が解除されている状態を示す断面図である。
【図２１】図２１は、同紙製収容箱の展開図である。
【符号の説明】
【０１５２】
１…箱本体（ケース本体）、２ａ…前側板、２ｂ…後側板、３ａ…左側板、３ｂ…右側板、４…蓋垂下片、５…蓋体、６…開口、７…被支持板、８…第１屈折フラップ、８ａ…第１屈折フラップの先端部、８ｂ…第１屈折フラップの屈折部、９…第２屈折フラップ、９ａ…第２屈折フラップの先端部、９ｂ…第２屈折フラップの屈折部
【図１】
2005335761.tif 000003
【図２】
2005335761.tif 000004
【図３】
2005335761.tif 000005
【図４】
2005335761.tif 000006
【図５】
2005335761.tif 000007
【図６】
2005335761.tif 000008
【図７】
2005335761.tif 000009
【図８】
2005335761.tif 000010
【図９】
2005335761.tif 000011
【図１０】
2005335761.tif 000012
【図１１】
2005335761.tif 000013
【図１２】
2005335761.tif 000014
【図１３】
2005335761.tif 000015
【図１４】
2005335761.tif 000016
【図１５】
2005335761.tif 000017
【図１６】
2005335761.tif 000018
【図１７】
2005335761.tif 000019
【図１８】
2005335761.tif 000020
【図１９】
2005335761.tif 000021
【図２０】
2005335761.tif 000022
【図２１】
2005335761.tif 000023